(57)【要約】    端末装置は、インフラ機器から提供される無線アクセスインターフェースを介して上記インフラ機器から信号を受信するように構成される無線通信受信回路と、測定によって上記端末装置の位置の特定の支援に用いることができる電波信号を受信するように構成される位置検出受信回路と、制御回路を含む。この制御回路は、上記無線通信受信回路を制御して、上記インフラ機器から送信された位置支援情報であって、上記端末装置の位置の特定の支援に用いることができる情報を提供する上記位置支援情報を搬送する１以上のシステム情報ブロックを検出し、上記位置検出回路を制御して、識別された上記位置支援情報と上記位置検出受信回路によって受信された電波信号とを組み合わせて上記端末装置の位置を推定するように構成される。また、上記制御回路は上記無線通信受信回路と共に、上記位置支援情報が変化するという相対リスクのインジケーションを上記インフラ機器から受信し、上記位置支援情報が変化するという相対リスクのインジケーションに応じて、上記１以上のシステム情報ブロックの受信を調整し、上記相対リスクに従い上記位置支援情報の更新バージョンを受信するように構成される。【選択図】図２
2021505077.tif 000002
【特許請求の範囲】
【請求項１】
無線通信ネットワーク用の端末装置であって、前記端末装置は、
インフラ機器から提供される無線アクセスインターフェースを介して前記インフラ機器から信号を受信するように構成される無線通信受信回路と、
測定によって前記端末装置の位置の特定の支援に用いることができる電波信号を受信するように構成される位置検出受信回路と、
前記無線通信受信回路を制御して、前記インフラ機器から送信された位置支援情報であって、前記端末装置の位置の特定の支援に用いることができる情報を提供する前記位置支援情報を搬送する１以上のシステム情報ブロックを検出し、
前記位置検出回路を制御して、識別された前記位置支援情報と前記位置検出受信回路によって受信された電波信号とを組み合わせて前記端末装置の位置を推定するように構成される制御回路を含み、
前記制御回路は前記無線通信受信回路と共に、
前記位置支援情報が変化するという相対リスクのインジケーションを前記インフラ機器から受信し、
前記位置支援情報が変化するという相対リスクのインジケーションに応じて、前記１以上のシステム情報ブロックの受信を調整し、前記相対リスクに従い前記位置支援情報の更新バージョンを受信するように構成される、
端末装置。
【請求項２】
請求項１に記載の端末装置であって、
前記インフラ機器から受信した相対リスクのインジケーションは、前記位置支援情報の急変のインジケーションを表し、
前記制御回路は前記受信回路と共に、前記位置支援情報の急変のインジケーションを提供する前記インフラ機器からページングメッセージを受信するように構成される、
端末装置。
【請求項３】
請求項２に記載の端末装置であって、
前記位置支援情報の更新バージョンは、前記位置支援情報の即時更新を伝える前記ページングメッセージによって提供される、
端末装置。
【請求項４】
請求項１に記載の端末装置であって、
前記制御回路は前記無線通信受信回路と協働して、間欠受信サイクルに従い前記位置支援情報を搬送する１以上のシステム情報ブロックを検出するように構成され、
前記間欠受信サイクルは前記１以上のシステム情報ブロックを検出する第１のサイクル部分と、前記１以上のシステム情報ブロックが検出されない第２のサイクル部分を含み、
前記制御回路は、前記相対リスクに従い前記第１および第２のサイクル部分の長さの一方または両方を調整するように構成される、
端末装置。
【請求項５】
請求項１に記載の端末装置であって、
前記無線アクセスインターフェースは複数の修正期間に分割され、
前記制御回路は、
前記無線通信受信回路と協働して、示された第１の相対リスクに従い前記複数の修正期間のうちの１つにおいて、１以上のシステム情報ブロックが次の修正期間において受信されるというインジケーションを受信することにより前記更新位置支援情報を搬送する１以上のシステム情報ブロックを検出し、
前記次の修正期間において前記位置支援情報の更新バージョンを搬送する１以上のシステム情報ブロックを受信し、
前記位置支援情報の変化の可能性がより高いことを示す、示された第２の相対リスクに従い前記位置支援情報の更新バージョンを搬送する１以上のシステム情報ブロックの受信を調整し、
前記位置支援情報が変化したことを示すページングメッセージを検出し、
前記ページングメッセージに応じて前記複数の修正期間のうちの１つにおいて前記位置支援情報の更新バージョンを搬送する１以上のシステム情報ブロックを検出するように構成される、
端末装置。
【請求項６】
請求項５に記載の端末装置であって、
前記ページングメッセージは、前記位置支援情報の更新バージョンを搬送する１以上のシステム情報ブロックが前記インフラ機器によって送信される修正期間のインジケーションを含む、
端末装置。
【請求項７】
請求項５に記載の端末装置であって、
前記ページングメッセージは、前記位置支援情報の更新バージョンを搬送する１以上のシステム情報ブロックのインジケーションを提供する、
端末装置。
【請求項８】
請求項２に記載の端末装置であって、
前記ページングメッセージは、前記位置支援情報が無効であるというインジケーションを提供し、これに応じて前記制御回路は前記位置支援情報の更新バージョンを搬送する１以上のシステム情報ブロックを検出するように構成される、
端末装置。
【請求項９】
請求項１に記載の端末装置であって、
前記位置検出受回路は複数の検出器を含むように構成され、
この検出器のうちの１つは前記電波信号を検出するように構成され、
１以上の他の検出器は前記端末装置の場所の推定結果を生成するために用いることができる１以上の他の電波信号を検出し、
前記位置支援情報が変化するという相対リスクのインジケーションに応じて、前記１以上の他の検出器を用いて前記端末装置の場所の推定結果を生成するように前記位置検出受信部を調整する、
端末装置。
【請求項１０】
請求項１に記載の端末装置であって、
前記制御回路は前記端末装置の場所の推定結果に応じたタスクを前記端末装置が実行しているかどうかを特定し、前記位置支援情報が変化するという相対リスクのインジケーションに応じて、前記タスクの実行を中断するように構成される、
端末装置。
【請求項１１】
請求項２に記載の端末装置であって、
前記制御回路は、前記端末装置の場所の推定結果に応じたタスクを前記端末装置が実行しているかどうかを特定し、前記位置支援情報の急変を示すページングメッセージの受信に応じて前記タスクの実行を中断するように構成される、
端末装置。
【請求項１２】
無線通信ネットワーク用の端末装置であって、前記端末装置は
インフラ機器から提供される無線アクセスインターフェースであって、複数の修正期間に分割されている無線アクセスインターフェースを介して前記インフラ機器から信号を受信するように構成される無線通信受信回路と、
測定によって前記端末装置の位置の特定の支援に用いることができる電波信号を受信するように構成される位置検出受信回路と、
前記無線通信受信回路を制御し、
前記複数の修正期間のうちの１つにおいて、１以上のシステム情報ブロックが次の修正期間において受信されるというインジケーションを受信することにより前記インフラ機器から送信された位置支援情報を搬送する１以上のシステム情報ブロックを検出し、
前記次の修正期間において、端末装置の位置の特定を支援するために用いることができる情報を提供する前記位置支援情報を搬送する１以上のシステム情報ブロックを受信し、
前記位置支援情報が変化したことを示すページングメッセージを検出し、
前記ページングメッセージに応じて前記複数の修正期間のうちの１つにおいて前記位置支援情報の更新バージョンを搬送する１以上のシステム情報ブロックを検出するように構成される制御回路を含む、
端末装置。
【請求項１３】
請求項１２に記載の端末装置であって、
前記ページングメッセージは、前記位置支援情報の更新バージョンを搬送する１以上のシステム情報ブロックが前記インフラ機器によって送信される前記修正期間のインジケーションを含む、
端末装置。
【請求項１４】
請求項１２に記載の端末装置であって、
前記ページングメッセージは、前記位置支援情報の更新バージョンを搬送する１以上のシステム情報ブロックのインジケーションを提供する、
端末装置。
【請求項１５】
請求項１４に記載の端末装置であって、
前記ページングメッセージは、前記位置支援情報が無効であるというインジケーションを提供し、これに応じて前記制御回路は前記位置支援情報の更新バージョンを搬送する１以上のシステム情報ブロックを検出するように構成される、
端末装置。
【請求項１６】
無線通信ネットワーク用の端末装置であって、前記端末装置は
インフラ機器から提供される無線アクセスインターフェースであって、複数の修正期間に分割されている無線アクセスインターフェースを介して前記インフラ機器から信号を受信するように構成される無線通信受信回路と、
測定によって前記端末装置の位置の特定の支援に用いることができる電波信号を受信するように構成される位置検出受信回路と、
前記無線通信受信回路を制御し、
端末装置の位置の特定を支援するために用いることができる情報を提供する位置支援情報であって、ブロードキャストチャネルにおいて前記インフラ機器から送信された位置支援情報を受信し、
前記位置支援情報と連携して、前記位置支援情報と受信した前記電波信号の組み合わせから前記端末装置の位置の推定結果を生成するように構成される制御回路を含み、
前記制御回路は、
前記位置支援情報が変化したことを示すページングメッセージを検出し、
前記端末装置の位置の推定結果に応じたタスクを前記端末装置が実行しているかどうかを特定し、
前記位置支援情報が変化したことを示すページングメッセージの検出に応じて、前記タスクの実行を中断するように構成される、
端末装置。
【請求項１７】
端末装置の位置の推定結果を生成する端末装置による方法であって、前記方法は、
インフラ機器から送信された位置支援情報であって、端末装置の位置の特定の支援に用いることができる情報を提供する位置支援情報を搬送する１以上のシステム情報ブロックを検出し、
受信した電波信号と識別された前記位置支援情報とを組み合わせて前記端末装置の場所を推定し、
前記位置支援情報が変化するという相対リスクのインジケーションを前記インフラ機器から受信し、
前記位置支援情報が変化するという相対リスクのインジケーションに応じて、前記相対リスクに従い前記位置支援情報の更新バージョンを受信するように前記１以上のシステム情報ブロックの受信を調整することを含む、
方法。
【請求項１８】
無線通信ネットワークで端末装置を動作させる方法であって、前記方法は、
インフラ機器から提供される無線アクセスインターフェースであって、複数の修正期間に分割されている無線アクセスインターフェースを介して前記インフラ機器から信号を受信するように構成される無線通信受信回路と、
測定によって前記端末装置の位置の特定の支援に用いることができる電波信号を受信し、
前記複数の修正期間のうちの１つにおいて、１以上のシステム情報ブロックが次の修正期間において受信されるというインジケーションを受信することにより前記インフラ機器から送信された位置支援情報を搬送する１以上のシステム情報ブロックを検出し、
前記次の修正期間において、端末装置の位置の特定を支援するために用いることができる情報を提供する前記位置支援情報を搬送する１以上のシステム情報ブロックを受信し、
受信した前記電波信号からの測定結果と前記位置支援情報を組み合わせて、前記端末装置の位置の推定結果を生成し、
前記位置支援情報が変化したことを示すページングメッセージを検出し、
前記ページングメッセージに応じて前記複数の修正期間のうちの１つにおいて前記位置支援情報の更新バージョンを搬送する１以上のシステム情報ブロックを検出することを含む、
方法。
【請求項１９】
無線通信ネットワークで端末装置を動作させる方法であって、前記方法は、
インフラ機器から提供される無線アクセスインターフェースであって、複数の修正期間に分割されている無線アクセスインターフェースを介して前記インフラ機器から信号を受信するように構成される無線通信受信回路と、
測定によって前記端末装置の位置の特定の支援に用いることができる電波信号を受信し、
端末装置の位置の特定を支援するために用いることができる情報を提供する位置支援情報であって、前記インフラ機器から送信された位置支援情報を受信し、
前記位置支援情報と受信した前記電波信号からの測定結果を組み合わせて前記端末装置の位置の推定結果を生成し、
前記端末装置の位置の推定結果に応じたタスクを前記端末装置が実行しているかどうかを特定し、
前記位置支援情報が変化したことを示すページングメッセージを検出し、
前記ページングメッセージに応じて前記タスクの実行を中断することを含む、
方法。
【請求項２０】
インフラ機器と端末装置を含む無線通信システム用のインフラ機器であって、前記インフラ機器は送受信回路と制御回路を含み、
前記送受信回路と制御回路は協働して、
端末装置の位置を特定するために前記端末装置によって用いられる位置支援情報をロケーションサーバから受信し、
位置支援情報を搬送する１以上のシステム情報ブロックを前記端末装置に送信し、
前記位置支援情報が変化するという相対リスクのインジケーションをロケーションサーバから受信し、
前記位置支援情報が変化するという相対リスクのインジケーションを前記端末装置に送信し、
前記位置支援情報が変化するという相対リスクのインジケーションに応じて、前記相対リスクに従い前記端末装置が間欠受信サイクルを変更する必要があるというインジケーションを前記端末装置に送信し、
前記位置支援情報が変化するという相対リスクが高いほど前記サイクルを短くし。
前記１以上のシステム情報ブロックを受信、
前記相対リスクに従い前記位置支援情報の更新バージョンを受信するように構成される、
インフラ機器。
【請求項２１】
無線通信ネットワークの一部を構成するインフラ機器であって、前記インフラ機器は、
前記無線通信ネットワークを介して通信する端末装置に信号を送信するように構成される送受信回路であって、前記インフラ機器によって提供される無線アクセスインターフェースを介して前記信号を送信する送受信回路と、
前記無線通信ネットワークと動作可能に関連付けられるロケーションサーバとのインターフェースを含み、
前記インターフェースは、
１以上の端末装置の位置を特定するためにこの端末装置によって用いられる位置支援情報を前記ロケーションサーバから受信し、
前記位置支援情報を搬送する１以上のシステム情報ブロックを前記端末装置に送信し、
前記位置支援情報が変化するという相対リスクのインジケーションを前記ロケーションサーバから受信し、
前記位置支援情報が変化するという相対リスクのインジケーションを前記端末装置に送信し、
前記位置支援情報が変化するという相対リスクのインジケーションに応じて、前記相対リスクに従い前記端末装置が間欠受信サイクルを変更する必要があるというインジケーションを前記１以上の端末装置に送信し、
前記位置支援情報が変化するという相対リスクが高いほど前記サイクルを短くするように構成される、
インフラ機器。
【請求項２２】
請求項２１に記載のインフラ機器であって、
前記１以上の端末装置の間欠受信サイクルは前記１以上のシステム情報ブロックを検出する第１のサイクル部分と、信号を受信する電力を抑える第２のサイクル部分を含み、
前記制御回路は前記送信回路前記インジケーションと協働して前記位置情報が変化するという相対リスクが高いほど前記第２のサイクル部分が短くなるように前記相対リスクに従い前記第２のサイクル部分の長さを調整するように構成される、
インフラ機器。
【請求項２３】
請求項２１に記載のインフラ機器であって、
前記制御回路は前記送信回路と共に、前記１以上のシステム情報ブロックにおいて前記１以上の端末装置に前記位置支援情報の変化の相対リスクのインジケーションを送信するように構成される、
インフラ機器。
【請求項２４】
請求項２２に記載のインフラ機器であって、
前記制御回路は前記送信回路と共に、前記ロケーションサーバから受信した更新位置支援情報を１以上のシステム情報ブロックにおいて前記１以上の端末装置に送信するように構成される、
インフラ機器。
【請求項２５】
請求項２１に記載のインフラ機器であって、
前記制御回路は前記送信回路と共に、前記更新位置支援情報を搬送する１以上のシステム情報ブロックを識別する前記１以上の端末装置にページングメッセージを送信するように構成される、
インフラ機器。
【請求項２６】
事前に決められた場所に配置される１以上の信号発信装置から、各信号発信装置の場所のインジケーションを提供する信号を受信するように構成される位置情報受信部と、
各信号発信装置の場所のインジケーションを提供する位置支援情報を生成し、
１以上の端末装置と通信するための無線通信ネットワークのインフラ機器に、インターフェースを通して前記位置支援情報のインジケーションを伝達し、
前記位置支援情報が変化するという相対リスクを特定し、
前記位置支援情報が変化するという相対リスクのインジケーションを前記無線通信ネットワークのインフラ機器に前記インターフェースを通して送信するように構成される制御回路を含む、
ロケーションサーバ。
【請求項２７】
請求項２６に記載のロケーションサーバであって、
前記制御回路は前記位置情報受信部と協働して、
前記位置支援情報が無効であるということを検出し、
前記位置支援情報が無効であるということを前記端末装置に伝達するために、前記無線通信ネットワークのインフラ機器に前記インターフェースを通してアラートを送信するように構成される、
ロケーションサーバ。
【請求項２８】
請求項２６に記載のロケーションサーバであって、
前記制御回路は前記位置情報受信部と協働して、
前記位置支援情報が変化したことを検出し、
前記位置支援情報が変化したということを前記端末装置に伝達するために前記位置支援情報が変化したというインジケーションを、前記無線通信ネットワークのインフラ機器に前記インターフェースを通して送信するように構成される、
ロケーションサーバ。
【請求項２９】
請求項２８に記載のロケーションサーバであって、
前記制御回路は前記位置情報受信部と協働して、
前記位置支援情報の変化の検出に応じて前記位置支援情報の更新バージョンを生成し、
前記インターフェースを通して前記無線通信ネットワークのインフラ機器に前記位置支援情報の更新バージョンを送信するように構成される、
ロケーションサーバ。
【請求項３０】
無線通信ネットワークの一部を構成するインフラ機器によって行われる方法であって、前記方法は、
前記無線通信ネットワークを介して通信を行う端末装置に信号を送信し、
１以上の端末装置の位置を特定するためにこの端末装置によって用いられる位置支援情報をロケーションサーバから受信し、
前記位置支援情報を搬送する１以上のシステム情報ブロックを前記端末装置に送信し、
前記位置支援情報が変化するという相対リスクのインジケーションを前記ロケーションサーバから受信し、
前記位置支援情報が変化するという相対リスクのインジケーションを前記端末装置に送信し、
前記位置支援情報が変化するという相対リスクのインジケーションに応じて、前記相対リスクに従い前記端末装置が間欠受信サイクルを変更する必要があるというインジケーションを前記１以上の端末装置に送信し、
前記位置支援情報が変化するという相対リスクが高いほど前記サイクルを短くすることを含む、
方法。
【請求項３１】
無線通信ネットワークと動作上関連して構成されるロケーションサーバによる方法であって、前記方法は、
事前に決められた場所に配置される１以上の信号発信装置から、各信号発信装置の場所のインジケーションを提供する信号を受信し、
各信号発信装置の場所のインジケーションを提供する位置支援情報を生成し、
１以上の端末装置と通信を行うため、無線通信ネットワークのインフラ機器にインターフェースを通して前記位置支援情報のインジケーションを伝達し、
前記位置支援情報が変化するという相対リスクを特定し、
前記位置支援情報が変化するという相対リスクのインジケーションを前記無線通信ネットワークのインフラ機器に前記インターフェースを通して送信することを含む、
方法。
【発明の詳細な説明】
【技術分野】
【０００１】
本技術は、端末装置の場所の推定結果を生成するように構成される端末装置に関する。また、本技術は、自身の場所の推定結果を生成するために通信端末によって用いられる位置支援情報を提供するように構成されるインフラ機器と方法に関する。
【０００２】
本出願は、欧州特許出願ＥＰ１７２０４７５１．６のパリ条約による優先権を主張し、その内容は参照により本明細書に組み込まれる。
【背景技術】
【０００３】
本明細書に記載する背景技術の説明は、本開示がどのような文脈で為されたかの概要を説明する目的で記載するものである。本技術の発明者として名前を挙げているものの研究内容は、この背景技術のセクションに記載されている限りにおいて、出願時に先行技術と認められない部分と同様に、本発明に対する先行技術として明示的にも暗示的にも認めるものではない。
【０００４】
３ＧＰＰ（３ｒｄ  Ｇｅｎｅｒａｔｉｏｎ  Ｐａｒｔｎｅｒｓｈｉｐ  Ｐｒｏｊｅｃｔ）定義のＵＭＴＳおよびＬＴＥ（Ｌｏｎｇ  Ｔｅｒｍ  Ｅｖｏｌｕｔｉｏｎ）アーキテクチャに基づくシステムのような第３および第４世代移動体通信システムは、前世代の移動体通信システムによって提供される単なる音声サービスおよびメッセージングサービスよりも高度なサービスをサポートすることができる。例えば、ＬＴＥシステムによって提供される改善された無線インターフェースおよび拡張データレートによって、ユーザは、以前は固定回線データ接続を介してのみ利用可能であったモバイルビデオストリーミングやモバイルビデオ会議といった高データレートのアプリケーションを享受することができる。そのため、第３および第４世代ネットワーク展開への要望は強く、これらのネットワークのカバレッジエリア、すなわちネットワークへのアクセスが可能な地理的な場所は、急速に増加するものと予想され得る。
【０００５】
将来的に無線通信ネットワークは、現在のシステムがサポートするように最適化された装置よりも広い範囲において日常的かつ効率的に通信をサポートすることが期待される。例えば、将来的に無線通信ネットワークは、複雑さが低減された装置や、マシンタイプ通信（ＭＴＣ）装置、高解像度ビデオディスプレイ、バーチャルリアリティヘッドセット等を含む装置との通信を効率的にサポートすることが期待される。これらの異なるタイプの装置のいくつかは、非常に多数の、例えば、「モノのインターネット」（ＩｏＴ）をサポートするための低複雑性装置で展開されてもよく、典型的には、比較的高いレイテンシ許容範囲を有する比較的少量のデータの送信に関連してもよい。また低複雑性装置は低電力装置であることが多く、このような装置は、低電力消費であることが望ましい（そのため、バッテリ持続時間が長い）。
【０００６】
将来的に無線通信ネットワークは、現在のシステムがサポートするように最適化された装置やアプリケーションよりも広い範囲において日常的かつ効率的にロケーションベースのサービスをサポートすることが期待される。
【０００７】
例えば、５Ｇでの無線通信は、子供の位置情報サービス、店舗の近くでトリガされるモバイルクーポンや広告、ゲートやカウンターでの空港自動チェックイン等のジオフェンシングサービスをサポートすることが期待される。これらのアプリケーションは、ＵＥ位置の連続トラッキングや低ＵＥ電力消費での等価トリガ条件の連続モニタリングを必要とする。
【０００８】
これを考慮すると、例えば、５Ｇ（第５世代）またはＮＲ（ｎｅｗ  ｒａｄｉｏ）システムやＮｅｗ  ＲＡＴ（無線アクセス技術）システムと称される無線通信ネットワークや、既存のシステムの将来的なバーション／リリース等、広範囲の装置に対する接続性を効率的にサポートが将来的に無線通信ネットワークに対して求められていると予想される。特に、このような装置の電力消費を低く保ちながら、低複雑性装置との間でどのように信号を効率的に送受信するかという問題に対処する必要がある。したがって、確実に低消費電力でロケーションベースのサービスを提供するように端末装置を構成することが、技術的課題である。
【発明の概要】
【０００９】
本技術は、請求項に基づいて定義される。本技術の実施形態によると、端末装置は、インフラ機器から提供される無線アクセスインターフェースを介して上記インフラ機器から信号を受信するように構成される無線通信受信回路と、測定によって上記端末装置の位置の特定の支援に用いることができる電波信号を受信するように構成される位置検出受信回路と、制御回路を含む。この制御回路は、上記無線通信受信回路を制御して、上記インフラ機器から送信された位置支援情報であって、上記端末装置の位置の特定の支援に用いることができる情報を提供する上記位置支援情報を搬送する１以上のシステム情報ブロックを検出し、上記位置検出回路を制御して、識別された上記位置支援情報と上記位置検出受信回路によって受信された電波信号とを組み合わせて上記端末装置の位置を推定するように構成される。また、上記制御回路は上記無線通信受信回路と共に、上記位置支援情報が変化するという相対リスクのインジケーションを上記インフラ機器から受信し、上記位置支援情報が変化するという相対リスクのインジケーションに応じて、上記１以上のシステム情報ブロックの受信を調整し、上記相対リスクに従い上記位置支援情報の更新バージョンを受信するように構成される。受信は、例えば、間欠受信の期間を変更することによって調整することができる。これにより、位置支援情報の変化のリスクが比較的低い場合に、より長い間欠受信（ＤＲＸ）サイクルを採用するようにＵＥを構成することができ、これにより電力消費を低減することができる。ＵＥは、位置支援情報の変化の相対リスクがより大きい場合、より短いＤＲＸサイクルを採用することができる。これにより、ＵＥは更新位置支援情報を受信するためにより迅速に反応することができる。この結果、ＵＥは自身の位置をより確実に推定することができる。
【００１０】
他の実施形態によれば、位置支援情報が変化したことを示すページングメッセージを受信することによって受信の調整を行うことができる。
【００１１】
本技術の実施形態は、機械制御、自動運転等のアプリケーションを含む高度な位置または場所検出技術に応用することができる。将来、位置・場所検出に関して、位置検出の精度を数十メートルからサブメータ級まで向上させることが期待されている。例えば位置・場所検出の精度を１メートル未満に改善するＧＮＳＳ技術によってＧＰＳは強化され得る。このため、無人自動車等のより重要なロケーションアプリケーションが使用される可能性がある。しかし、これらのアプリケーションは、位置精度に誤差がある場合、数々のより危険な結果を引き起こす可能性がある。したがって、本技術の実施形態は、端末装置への位置支援情報の配信に関して改善を行うことができ、位置検出における誤差を減らしたり、これらの誤差のために起こり得る結果を回避することができる。
【００１２】
上記の段落は、一般的な序論として提供したものであり、以下の特許請求の範囲を限定するものではない。本開示の実施形態は、更なる利点とともに、添付の図面と併せて以下の詳細な説明を参照することによって理解される。
【図面の簡単な説明】
【００１３】
添付の図面と合わせて検討される以下の詳細な説明を参照することにより、本開示は更なる利点と共に最も良好に理解される。
【００１４】
【図１】３ＧＰＰ規格による無線通信システムのいくつかの基本機能を示す概略的なブロック図である。
【図２】本技術の実施形態による、位置支援情報を端末装置に提供するように構成されるインフラ機器（ｇＮｏｄｅＢ）、およびロケーションサーバと、自身の場所の推定結果を生成するように構成される端末装置の概略的なブロック図である。
【図３】本技術の実施形態による、通信装置へのロケーションサービスの提供に関連する、図１に示す無線通信システムの一部の概略的なブロック図である。
【図４】既知の構成による修正期間中の更新システム情報の送信のタイミングの概略図である。
【図５】特定のタイプの更新システム情報を受信したときに端末装置によって実行されるアクションの流れを示す概略図である。
【図６】本技術の実施形態による端末装置によって実行されるプロセスの一例を示す流れ図である。
【図７】更新位置支援情報を受信したときに端末装置が行うアクションの流れを示す概略図である。
【発明を実施するための形態】
【００１５】
上記に記載のように、本発明の実施形態はＬＴＥ、５Ｇ、またはＮｅｗ  Ｒａｄｉｏ  Ａｃｃｅｓｓ技術（ＮＲ）と呼ばれるアドバンスト無線通信システムに適用することができる。先行技術文献２として記載されているように、Ｎｅｗ  Ｒａｄｉｏ  Ａｃｃｅｓｓ技術は次世代無線通信システム、すなわち５Ｇのための新しい無線アクセス技術（ＲＡＴ）を発展させるためのものである。新たなＲＡＴは、数百ＭＨｚから１００ＧＨｚまでの広い周波数範囲で動作することが期待され、広い範囲のユースケースをカバーすることが期待される。上記において検討されたユースケースは以下のものを含む。
・エンハンスドモバイルブロードバンド（ｅｎｈａｎｃｅｄ  ｍｏｂｉｌｅ  ｂｒｏａｄｂａｎｄ：ｅＭＢＢ）
・大規模マシンタイプ通信（Ｍａｓｓｉｖｅ  Ｍａｃｈｉｎｅ  Ｔｙｐｅ  Ｃｏｍｍｕｎｉｃａｔｉｏｎｓ：ｍＭＴＣ）
・超高信頼低遅延通信（Ｕｌｔｒａ  Ｒｅｌｉａｂｌｅ  ＆  Ｌｏｗ  Ｌａｔｅｎｃｙ  Ｃｏｍｍｕｎｉｃａｔｉｏｎｓ：ＵＲＬＬＣ）
【００１６】
５Ｇの目的は、人々にモバイル接続性を提供するだけでなく、接続によって恩恵を受けるあらゆる種類の装置やあらゆる種類のアプリケーションにユビキタス接続性を提供することである。多くの要件とユースケースに関していまだ議論をしている最中だが、その中には次のようなものがある。
・低遅延
・高データレート
・ミリ波スペクトルの使用
・高密度のネットワークノード（例えば小さなセルにおけるリレーノード）
・大容量システム
・大量のデバイス（例えばＭＴＣデバイス／モノのインターネット（ＩｏＴ）デバイス）
・高信頼（例えば自動運転車等の車の安全のためのアプリケーション等）
・低デバイスコストと低エネルギー消費
・フレキシブルなスペクトル使用
・フレキシブルモビリティ
【００１７】
図１は、ＮＲや５Ｇのために提案されたとある技術を用いた無線通信ネットワークの構成の例を示す。図１において、複数の送受信ポイント（ＴＲＰ）１０は線３で表される接続インターフェースによって分散制御ユニット（ＤＵ）１１．１、１１．２に接続される。各送受信ポイント（ＴＲＰ）１０は無線通信ネットワークが利用可能な無線周波数帯域幅において無線アクセスインターフェースを介して信号を送受信するように構成される。従って、無線アクセスインターフェースを介して無線通信を行う範囲の中で、各ＴＲＰ１０は破線８によって表される無線通信ネットワークのセルを構成する。そして、セル１０によって提供される無線通信範囲内の無線通信装置１２は、無線アクセスインターフェースを介してＴＲＰ１０と信号の送受信を行うことができる。各分散制御ユニット１１．１、１１．２はインターフェース１６を介してコーディネーティングユニット（ＣＵ）１４に接続される。そして、ＣＵ１４はコアネットワーク１７に接続される。コアネットワーク１７は、無線通信装置とのデータ通信に必要なすべての他の機能を含み、他のネットワーク１８に接続され得る。
【００１８】
図１に示す無線アクセスネットワークのエレメントは、３ＧＰＰ（ＲＴＭ）団体によって管理されている関連規格において定義されており、例えばＨｏｌｍａ，Ｈ．  ａｎｄ  Ｔｏｓｋａｌａ  Ａ（先行技術文献１）のように多くの書籍に記載されている公知のＬＴＥネットワークの対応するエレメントと同様に動作し得る。当然、以下で具体的には説明されない（例えば異なるエレメント間での通信のための物理チャネルや特定の通信プロトコルに関する）、図１に示すテレコミュニケーションネットワークや本明細書において記載される本開示の実施形態に係る他のネットワークの動作的態様は、任意の公知の技術に従って、例えば、関連する規格等の、無線テレコミュニケーションシステムの上記のような動作的態様を実施するために現在用いられている手法に従って実装されて得る。
【００１９】
図１に示す複数の送受信プロセッサＴＲＰ１０のいくつかは、ＬＴＥネットワークのｅＮｏｄｅＢや基地局に対応する機能を有し得る。以下の説明において、ＴＲＰおよびｅＮｏｄｅＢの用語はそれぞれ同義で使用される。無線ネットワークインフラ機器の例である基地局は、送受信局／ＮｏｄｅＢ／ｅＮｏｄｅＢ（ｅＮＢ）等と称することもできる。同様に、通信装置１２もＬＴＥネットワークにおいて機能する装置に対応する機能を含み得る。また、通信装置１２は、移動局、ユーザ機器（ＵＥ）、ユーザ端末、移動無線機、通信装置等と称することもできる。従って、当然、（例えば異なるエレメント間での通信のための物理チャネルや特定の通信プロトコルに関する）ｎｅｗ  ＲＡＴネットワークの動作的態様は、ＬＴＥや他の既知の移動体通信規格とは異なっていてもよい。しかし、当然、ｎｅｗ  ＲＡＴネットワークの各コアネットワーク要素、基地局、および端末装置はそれぞれＬＴＥ無線通信ネットワークのコアネットワーク要素、基地局、および端末装置と機能的に類似する。
【００２０】
図１に示すように、コアネットワーク１にはロケーションサーバ３０６が接続されている。本技術の実施形態をナビゲーションやロケーションベースのサービスに適用するにあたり、ＵＥはその地理的ロケーションの推定結果を生成する必要がある。図２を参照して説明するように、受信した電波信号から生成された他の測定結果と組み合わせてＵＥがその場所を識別するのを支援する位置支援情報を生成するロケーションサーバを提供することが知られている。
【００２１】
（３ＧＰＰによって提案されるような）測位のための既存のソリューションと比較して、改善された測位構成を提供することが望ましい。「測位」という用語は、ＵＥが空間内における自身の位置（特にその地理的位置）を特定する任意のプロセスを意味するものと理解すべきである。
【００２２】
以下の実施形態は、主に５Ｇ（ＮＲ）測位の補強に関する。しかし当然、ここで提供する教示は、ＬＴＥシステム（例えば、近い将来に利用可能になる可能性のあるオンデマンドＳＩやそれに類するものをサポートするＬＴＥシステム）に適用可能である。本技術は、適切なＬＴＥおよびＮＲシステムの両方に対して、上述の改良点のうち少なくとも一部を提供し得る。
【００２３】
本技術の実施形態と共に使用され得るオンデマンドシステム情報（ＳＩ）の一例は、例えば、欧州特許出願ＥＰ１６１８０８５８．９に記載されている。
【００２４】
さらに、既存の３ＧＰＰロケーションベースのサービスおよびプロトコルに関する情報はＬＴＥ  Ｌｏｃａｔｉｏｎ  Ｂａｓｅｄ  Ｓｅｒｖｉｃｅｓ  Ｔｅｃｈｎｏｌｏｇｙ  Ｉｎｔｒｏｄｕｃｔｉｏｎ  （Ｒｏｈｄｅ  ＆  Ｓｃｈｗａｒｚ）（ｈｔｔｐ：／／ｗｗｗ．ｒｏｈｄｅ−ｓｃｈｗａｒｚ−ｗｉｒｅｌｅｓｓ．ｃｏｍ／ｄｏｃｕｍｅｎｔｓ／ＬＴＥＬＢＳＷｈｉｔｅＰａｐｅｒ＿ＲｏｈｄｅＳｃｈｗａｒｚ．ｐｄｆ）の白書に記載されている。この内容は参照により本明細書に組み込まれる。
【００２５】
ＬＰＰにおいてサポートされたＵＥ測位方法のバージョンは、例えば、３ＧＰＰ  ＴＳ３６．３０５に開示されている。この内容は参照により本明細書に組み込まれる。
【００２６】
３ＧＰＰでは、ＵＥが自身の空間位置を特定すると、（ＧＮＳＳ衛星等からの）信号の測定結果とそれらの信号に基づくＵＥの位置の計算結果が区別される。「ＵＥ支援測位」とは、ＵＥからの測定結果の報告に従ってＵＥの外部装置（ＵＥが接続されているネットワークのロケーションサーバ等）がＵＥの位置を算出する状況のことである。一方、本技術は、追加で「ＵＥベースの測位」を可能にする。これにより、自身の位置を計算するのに十分な情報がＵＥに提供される。つまり、（３ＧＰＰ  ＴＳ３６．３０５  Ｖ１３．０．０（２０１５−１２）に記載されているように）、「〜ベースの」および「〜支援」という言葉はそれぞれ、測位演算を行う（加えて測定結果を提供し得る）ノードおよび測定結果を提供するノード（このノードは測位演算は行わない）を表す。このため、位置推定値の算出に用いるＥ−ＳＭＬＣ（Ｅｖｏｌｖｅｄ  Ｓｅｒｖｉｎｇ  Ｍｏｂｉｌｅ  Ｌｏｃａｔｉｏｎ  Ｃｅｎｔｒｅ）にＵＥが測定結果を提供する動作を「ＵＥ支援動作」と記載し（（「Ｅ−ＳＭＬＣベースの動作」とも呼ぶ）、ＵＥが自身の位置を算出する動作を「ＵＥベースの動作」と記載する。（本技術で使用されるように）ＵＥベースの測位は、ＵＥ支援測位と比較してネットワークと通信を減らすことができる。従ってＵＥの電力消費を抑えることができる。
【００２７】
上述したように、ＵＥ測位は、ＧＮＳＳ衛星から受信した信号に基づいて行われてもよい。ｈｔｔｐｓ：／／ｗｗｗ．ｇｓａ．ｅｕｒｏｐａ．ｅｕ／ｓｙｓｔｅｍ／ｆｉｌｅｓ／ｒｅｐｏｒｔｓ／ｇｎｓｓ＿ｍｒ＿２０１７．ｐｄｆに記載のように、例えば、全地球航法衛星システム（ＧＮＳＳ）は、衛星からの信号を処理することにより、互換性のある装置（この場合、ＵＥ）を持つユーザが自身の位置、速度、時間（ＰＶＴ：ｐｏｓｉｔｉｏｎ、ｖｅｌｏｃｉｔｙ、ｔｉｍｅ）を特定することができるインフラストラクチャである。ＧＮＳＳ信号は、グローバル衛星群や地域限定衛星群、静止衛星型補強システムを含む、さまざまな衛星測位システムによって提供される。
・グローバル衛星群：グローバル・ポジショニング・システム（ＧＰＳ）（ＵＳＡ）、ＧＬＯＮＡＳＳ（Ｇｌｏｂａｌｎａｙａ  Ｎａｖｉｇａｚｉｏｎｎａｙａ  Ｓｐｕｔｎｉｋｏｖａｙａ  Ｓｉｓｔｅｍａ）（ロシア連邦）、ガリレオ（ＥＵ）、ＢｅｉＤｏｕ（中華人民共和国）
・地域限定衛星群：準天頂衛星システム（ＱＺＳＳ）（日本）、ＩＲＮＳＳ（Ｉｎｄｉａｎ  Ｒｅｇｉｏｎａｌ  Ｎａｖｉｇａｔｉｏｎ  Ｓａｔｅｌｌｉｔｅ  Ｓｙｓｔｅｍ）（インド）、ＢｅｉＤｏｕ  ｒｅｇｉｏｎａｌ  ｃｏｍｐｏｎｅｎｔ（中華人民共和国）
・静止衛星型補強システム（ＳＢＡＳ）：ＷＡＡＳ（Ｗｉｄｅ  Ａｒｅａ  Ａｕｇｍｅｎｔａｔｉｏｎ  Ｓｙｓｔｅｍ）（ＵＳＡ）、ＥＧＮＯＳ（Ｅｕｒｏｐｅａｎ  Ｇｅｏｓｔａｔｉｏｎａｒｙ  Ｎａｖｉｇａｔｉｏｎ  Ｏｖｅｒｌａｙ  Ｓｅｒｖｉｃｅ）（ＥＵ）、運輸多目的衛星用衛星航法補強システム（ＭＳＡＳ）（日本）、ＧＡＧＡＮ（ＧＰＳ  Ａｉｄｅｄ  ＧＥＯ  Ａｕｇｍｅｎｔｅｄ  Ｎａｖｉｇａｔｉｏｎ）（インド）、ＳＤＣＭ（Ｓｙｓｔｅｍ  ｆｏｒ  Ｄｉｆｆｅｒｅｎｔｉａｌ  Ｃｏｒｒｅｃｔｉｏｎｓ  ａｎｄ  Ｍｏｎｉｔｏｒｉｎｇ）（ロシア連邦）、ＳＮＡＳ（Ｓａｔｅｌｌｉｔｅ  Ｎａｖｉｇａｔｉｏｎ  Ａｕｇｍｅｎｔａｔｉｏｎ  Ｓｙｓｔｅｍ）（中華人民共和国）
【００２８】
ＧＮＳＳは１以上のバンドまたはコード／信号を有し得る。
【００２９】
例えばＧＰＳは、従来のＬ１  Ｃ／Ａ（Ｌ１帯かつＣ／Ａ（Ｃｏａｒｓｅ  ａｎｄ  Ａｃｑｕｉｓｉｔｉｏｎ）コード）に加えて、Ｌ２Ｃ信号（Ｌ２帯、民間ＧＰＳ信号）を新たにサポートする。しかし、多くのＧＰＳ端末はいまだにＬ１  Ｃ／Ａのみをサポートしている。
【００３０】
セルラーネットワークを介したＧＮＳＳ支援情報は測位におけるメリットを提供する。特に、ＧＮＳＳを介してＵＥの位置を特定するために必要な情報の一部を衛星から直接提供するのではなくネットワーク経由でＵＥに提供することができる。本技術の一実施形態においては、ＧＮＳＳ支援情報はｇＮＢ１０１から１以上のシステム情報ブロックでＵＥに送信され、ＵＥ１０４の無線通信受信部２０２によって受信され得る。他のＧＮＳＳ情報は、ＵＥ１０４の第１の受信部２００によって、第１信号の一部として衛星から直接受信される。
【００３１】
ＧＮＳＳ衛星はコードとメッセージを送信する。コードは、擬似ランダムノイズ等の直交符号である。メッセージは、（位置推定に必要な）エフェメリスやアルマナック等の衛星軌道情報を含む。エフェメリスやアルマナックに関する情報については例えば３ＧＰＰ  ＴＳ  ３６．３０５  Ｖ１３．０．０（２０１５−１２）に記載されている。ここでは、エフェメリスとクロックモデル支援によってＧＮＳＳ受信部（この場合、ＵＥ）にＧＮＳＳ衛星の位置とクロックオフセットを算出するためのパラメータが提供されるということが定義されている。様々なＧＮＳＳは、異なるモデルパラメータやフォーマットを使用する。個々のＧＮＳＳによって定義されるすべてのパラメータフォーマットは、シグナリングによってサポートされる。また、アルマナック支援により、コアース（長期）ＧＮＳＳ衛星位置とクロックオフセットを算出するためのパラメータがＧＮＳＳ受信部に提供されるということが定義されている。様々なＧＮＳＳは、異なるモデルパラメータやフォーマットを使用する。個々のＧＮＳＳによって定義されるすべてのパラメータフォーマットは、シグナリングによってサポートされる。
【００３２】
ＬＴＥ測位プロトコル（ＬＰＰ）は、ＧＮＳＳ衛星からのＧＮＳＳ情報の送信をより迅速に補完するものとして、ロケーションサーバからＬＴＥ基地局を経由するＵＥへのＧＮＳＳ情報の一部（メッセージ等）の通信をサポートすることができる。
【００３３】
セルラーネットワーク（つまり、ネットワークの基地局）からの測位のための支援情報は、ＧＮＳＳ衛星によって送信されるメッセージの感度、初回測位時間、および正確な測位の提供に関するものを含む、ＧＮＳＳ測位に関連する様々な問題を軽減するのに役立つ。
【００３４】
特に、セルラーネットワークを用いることにより、衛星信号強度の問題を軽減することができる。ＵＥと衛星との間の距離が長いため、ＧＮＳＳ衛星信号は、とても弱くなってしまう。また、ＵＥのＧＮＳＳアンテナは比較的小さいため、その信号を受信し損ねることもある。なお、ＧＮＳＳコード（特にＧＰＳコード）は、ＧＮＳＳメッセージ（特にＧＰＳメッセージ）よりも低い信号対雑音比（ＳＮ比）を必要とする。従って、ＵＥはＧＮＳＳコードを受信できるがＧＮＳＳメッセージを受信できないという状況が発生する可能性がある。また、ＵＥが高いＳＮ比のメッセージを受信できる場合であっても、初回測位時間（ＴＴＦＦ）と呼ばれる測定時間が問題となる可能性がある。例えば、ＧＰＳはメッセージを超低ビットレート（例えば５０ビット／秒）で送信する。ＵＥがすべての必要なメッセージを最初から受信する場合（アルマナックとエフェメリスの両方）、この処理には１２．５分かかる。対照的に、セルラーネットワークははるかに高いビットレートを提供する。ＵＥは、数秒オーダーの期間において、すべての必要なメッセージを受信することができる。
【００３５】
ＧＮＳＳ支援情報の量は、より正確な測位が求められると予想されるため、近い将来増加すると予想される。３ＧＰＰ  ｒｅｌｅａｓｅ−１５では、従来のＧＮＳＳコードベースの測距ではなく、キャリアベースの測距を提供するリアルタイムキネマティック（ＲＴＫ）測位がサポートされるようになる（例えばｈｔｔｐｓ：／／ｗｗｗ．ｎｏｖａｔｅｌ．ｃｏｍ／ａｎ−ｉｎｔｒｏｄｕｃｔｉｏｎ−ｔｏ−ｇｎｓｓ／ｃｈａｐｔｅｒ−５−ｒｅｓｏｌｖｉｎｇ−ｅｒｒｏｒｓ／ｒｅａｌ−ｔｉｍｅ−ｋｉｎｅｍａｔｉｃ−ｒｔｋ／を参照）。例えば、ＪＡＸＡ（宇宙航空研究開発機構）は、ＱＺＳＳユーザのためにＭＡＤＯＣＡ（複数ＧＮＳＳ対応高精度軌道時刻推定ツール）を提供している。これは精密単独測位（ＰＰＰ）を必要とする。ＭＡＤＯＣＡからの支援情報は、ＱＺＳＳ軌道時刻情報に含まれるだけでなく、他のＧＮＳＳシステムでも使用される。しかし、ＱＺＳＳ衛星通信（Ｌ帯）の容量は限られている。したがって、多くのユーザが必要とする非常に一般的な情報が衛星から送信され得る。しかし、他の支援情報は、他の通信方法（インターネット等）を介して送信することができる（例えばｈｔｔｐｓ：／／ｓｓｌ．ｔｋｓｃ．ｊａｘａ．ｊｐ／ｍａｄｏｃａ／ｐｕｂｌｉｃ／ｐｕｂｌｉｃ＿ｉｎｄｅｘ＿ｅｎ．ｈｔｍｌを参照）。
【００３６】
上述したように、将来的に無線通信ネットワークは、複雑さが低減された装置やマシンタイプ通信（ＭＴＣ）装置を含む装置との通信を効率的にサポートすることが期待される。これらの装置は、「モノのインターネット」をサポートするように展開され得る。典型的には、レイテンシ許容度が比較的高い、比較的少量のデータの送信に関連し得る。
【００３７】
図２は、位置情報をＵＥに伝達する、図１に示すエレメントに対応する移動無線ネットワークのエレメントの概略的なブロック図を示す。一例として図２に示すように、ロケーションサーバ３０６は、ＳＬｍインターフェース１２１を介してＬＭＵ１２０と接続する拡張ロケーションサーバ（ｅＳＭＬＣ）である。移動性管理エンティティ１２２はＳＬｓインターフェース１２８を介してｅＳＭＬＣ３０６と接続し、Ｓ１インターフェース１２４を介してｇＮｏｄｅＢ１０１と接続する。ｅＳＭＬＣ３０６はまた、ＳＬｍインターフェース１０６を介してｇＮｏｄｅＢ１０１とも接続する。ｅＳＭＬＣはまた、プロプライエタリインターフェース１１２を介してＳＬＰ１１０に接続し、ＳＵＰＬベアラ１１４を介してＵＥ１０４に接続する。
【００３８】
図３は、ＵＥ１０４、基地局１０１およびデータ処理装置３０６のいくつかの構成要素を概略的に示している。これらは、本技術の実施形態おいてロケーション支援サーバまたはＳＭＬＣとして動作する。
【００３９】
図３に示すように、ＵＥ１０４は、位置検出受信部２００と、無線通信受信部２０１と、無線通信送信部２０２と、制御部２０３とを含む。位置検出受信部２００は、各空間的位置に配置された１以上の信号発信装置のそれぞれから無線信号を受信するためのものである。このような信号発信装置２２９は例えばＧＮＳＳ（全球測位衛星システム）衛星であり得る。無線通信受信部２０１は、ｇＮＢ１０１がその一部を構成する無線通信ネットワークから、ユーザデータを搬送する無線信号（例えば電波信号）を受信するためのものである。無線通信送信部２０２は無線信号（例えば電波信号）を送信するためのものである。制御部２０３は、位置検出受信部２００、無線通信受信部２０１および無線通信送信部２０２を制御し、本開示の実施形態に従って動作するようにＵＥ１０４を制御するように構成される。制御部２０３は、以下にさらに説明するように、本開示の実施形態に係る機能を提供するための種々のサブユニットを含み得る。無線通信受信部、無線通信送信部、位置検出受信部、制御部はそれぞれ別々のハードウェアエレメントとして実装してもよいし、または適切に構成された制御部２０３の機能として実装してもよい。制御部２０３は、通信システムにおける機器のための従来のプログラミング／構成技術を用いて、本明細書に記載される所望の機能を提供するように適切に構成／プログラムされ得る。図示を容易にするため、図２には、位置検出受信部２００、無線通信受信部２０１、無線通信送信部２００、および制御部２０１は別個のエレメントとして概略的に示されている。しかしながら、当然、これらのエレメントの機能は、例えば、単一の適切にプログラムされたコンピュータ、または適切に構成された特定用途向けの集積回路や回路を用いて、様々な異なる方法で提供することができる。図示はされていないが、当然、ＵＥ１０４は、一般的に、ユーザインターフェースやバッテリ等の、その動作機能に関連する様々な他のエレメントを含む。以下の実施形態において、位置検出受信部２００、無線通信受信部２０１、送信部２０２、および制御部２０３は回路として実装される。
【００４０】
当業者には理解されるように、本技術の構成では、通信装置１０４の送受信部２０２は、例えば、通信装置１０４が低電力ウェアラブルデバイスであるような状況では、必ずしも送信部を含むとは限らない。
【００４１】
いくつかの例では、基地局１０１の受信部２０４は、ＵＥ１０４が各空間的位置に配置された１以上の信号発信装置２３２のそれぞれから送信された１以上の電波信号２３０を検出した後に、ＵＥ１０４からリクエストメッセージ（不図示）を受信するように構成される。基地局１０１の制御部２０６は、リクエストメッセージに応じて、１以上の信号発信装置２３２のそれぞれの空間的位置を特定するように構成される。送信部２０５は、所定のシステム情報ブロック（ＳＩＢ）内の１以上の信号発信装置のそれぞれの空間的位置を示す位置支援情報を送信するように構成される。
【００４２】
いくつかの実施形態では、ＵＥ１０４の制御部２０３は、１以上の信号発信装置２３３のそれぞれによって送信される１以上の電波信号２３０の特性（例えば、信号強度および／または品質）の測定結果に基づいて、１以上の信号発信装置のそれぞれに対する端末装置の空間的位置を特定するように構成される。位置支援情報は、１以上の信号発信装置のそれぞれの空間的位置を示す。そして、制御部２０３は、１以上の各信号発信装置に対する端末装置の空間的位置および１以上の各信号発信装置のそれぞれの空間的位置に基づいて、所定の座標系におけるＵＥ１０４の絶対位置を算出することができる（このような算出技術は当技術分野において既知であるため、ここでは詳述しない）。
【００４３】
本技術の実施形態は、ＵＥによって検出可能な信号を発信する様々なタイプの信号発信装置を用いた測位に適用し得る。このような別の測位方法は、十分な強度および／または品質の衛星信号を取得することができない屋内の公共空間（ショッピングセンター、美術館、博物館等）において使用され得る。この場合、１以上の信号発信装置の位置を示す情報は、建物内のＵＥの位置を特定するために、（例えば、ＵＥ１０４の位置検出受信部２００によって各信号発信装置からの第１の信号に基づいて測定される）各信号発信装置からのＵＥの距離と併せて使用される。この場合、（１以上の各屋内信号発信装置の位置を示す）支援情報はネットワークを介してＵＥに送信することができる。より一般的には、本技術は、所定の空間内の所定の位置のそれぞれに配置された１以上の衛星または非衛星信号発信装置を用いて実施され得る。従って、位置検出受信部２００は、複数の検出器によって構成され得る。後述するように、ＵＥの測位には様々な追加のセンサも使用され得る。支援情報を受信するためのＵＥの構成に関する他の情報は、ＥＰ  １７１９９２０４（先行技術文献７）に開示されている。その内容は参照により本明細書に組み込まれる。
【００４４】
５Ｇ（ＮＲ）測位の場合、位置、速度、時間（ＰＶＴ）の推定においては、ＧＮＳＳ測位（または、より一般的には、ＧＮＳＳ衛星や屋内信号発信装置を含み得る１以上の信号発信装置に基づく測位）だけでなく、種々のタイプの１以上の他のセンサも使用され得る。したがって、位置検出受信部２００が１以上の信号発信装置から信号を受信するように構成されることに加えて、またはその代わりに、位置検出受信部２００は、ＵＥ１０４の一部として含まれる１以上の他のセンサからも信号を受信し得る。このようなセンサは、加速度計、重力計、気圧計センサ、ジャイロセンサ等を含み得る。ＧＮＳＳまたは他の発信信号に加えて、またはその代わりに、このようなセンサは様々な方法で使用され得る。「センサ」という用語は、ＵＥの位置（またはＵＥの位置に基づいて適用可能な少なくとも１以上のサービス）を特定する際の基準となる１以上の特性を検出するように構成されるエレメント（例えば回路を用いて実装されるエレメント）として広義に解釈すべきである。ＵＥの測位を行うために、様々な異なるタイプのセンサを組み合わせて用いてもよい。
【００４５】
再び図３を参照すると、基地局１０１は送信部２０５、受信部２０４、ネットワークインターフェース２０８、および制御部２０６を含む。送信部２０５は、無線信号（例えば電波信号）を送信するためのものである。受信部２０４は、無線信号（例えば電波信号）を受信するためのものである。ネットワークインターフェース２０８は、インターネット等のネットワークを介して（例えば、以下に説明するように、ロケーションサーバとの間で）信号を送受信するためものである。制御部２０６は、送信部２０５、受信部２０４およびネットワークインターフェース２０８を制御し、本開示の実施形態に従って動作するように基地局１０１を制御するように構成される。制御部２０６は、以下にさらに説明するように、本開示の実施形態に係る機能を提供するための種々のサブユニットを含み得る。これらのサブユニットは、別々のハードウェアエレメントとして実装されてもよいし、適切に構成された制御部２０６の機能として実装されてもよい。制御部２０６は、通信システムにおける機器のための従来のプログラミング／構成技術を用いて、本明細書に記載される所望の機能を提供するように適切に構成／プログラムされ得る。図示を容易にするため、図２には、送信部２０５、受信部２０４、制御部２０６はそれぞれ別々のエレメントとして概略的に示されている。しかしながら、当然、これらのエレメントの機能は、例えば、単一の適切にプログラムされたコンピュータ、または適切に構成された特定用途向けの集積回路や回路を用いて、様々な異なる方法で提供することができる。図示はされていないが、当然、基地局１０１は、一般的に、その動作機能に関連する様々な他のエレメントを含む。以下の実施形態において、送信部２０５、受信部２０４、ネットワークインターフェース２０８、制御部２０６は回路として実装される。
【００４６】
ｅＳＭＬＣ３０６を構成するデータ処理装置は、ネットワークインターフェース２０９、記憶媒体２１１、制御部２１０を含む。ネットワークインターフェース２０９は、インターネット等のネットワークを通して（例えば下記に説明するようにインフラ機器との間で）信号の送受信を行うためのものである。記憶媒体２１１は、デジタルデータを記憶するためのものである（記憶媒体２１１は、例えばハードディスクドライブ、ソリッドステートドライブ、テープドライブ等の形式をとり得る）。制御部２１０は、ネットワークインターフェース２０８および記憶媒体２１１を制御し、本開示の実施形態に従って動作するようにデータ処理装置３０６を制御するように構成される。制御部２１０は、以下にさらに説明するように、本開示の実施形態に係る機能を提供するための種々のサブユニットを含み得る。これらのサブユニットは、別々のハードウェアエレメントとして実装されてもよいし、適切に構成された制御部２１０の機能として実装してもよい。制御部２１０は、通信システムにおける機器のための従来のプログラミング／構成技術を用いて、本明細書に記載される所望の機能を提供するように適切に構成／プログラムされ得る。図示を容易にするため、図２には、ネットワークインターフェース２０９、記憶媒体２１１、制御部２１０はそれぞれ別々のエレメントとして概略的に示されている。しかしながら、当然、これらのエレメントの機能は、例えば、単一の適切にプログラムされたコンピュータ、または適切に構成された特定用途向けの集積回路や回路を用いて、様々な異なる方法で提供することができる。
【００４７】
図示はされていないが、当然、ｅＳＭＬＣ３０６は、一般的に、その動作機能に関連する様々な他のエレメントを含む。以下の実施形態において、ネットワークインターフェース２０９と制御部２１０は回路として実装される。
【００４８】
図１、図２、図３に示す構成に関する上記の説明から理解されるように、ＵＥがその場所を特定するために、ロケーションサーバ３０６から無線通信ネットワークによって送信されたシステム情報ブロックは、位置支援情報をＵＥに配信する。本技術の実施形態は、位置支援情報をＵＥに配信する時間に関連する技術的問題に対処する。
【００４９】
上述したように、位置支援情報は、オンデマンドシステム情報または定期的に配信されるシステム情報のいずれかを使用して送信され得る。しかし、位置支援情報は予期せず変化する可能性がある。位置支援情報が予期せず変化した場合、ｅＮｏｄｅＢはできるだけ早くそのことをＵＥに通知する必要がある。しかし、ＵＥの電力消費の観点から見ると、ページングのクイックレスポンス（例えばＤＲＸ期間の短縮）のコストは高コストである。予期せぬイベントのリスクが高い場合、クイックレスポンスが必要となる。対照的に、予期せぬイベントのリスクが低い場合、電力の節約が優先される。
【００５０】
例えば、電離層に影響を与える太陽嵐の結果、位置支援情報は変化し得る。例えばｈｔｔｐ：／／ｇｐｓｗｏｒｌｄ．ｃｏｍ／ｉｎｎｏｖａｔｉｏｎ−ｇｎｓｓ−ａｎｄ−ｉｏｎｏｓｐｈｅｒｅ−１１０３６／に記載されているように、電離層の特性の空間的、時間的な変化は太陽活動の結果として変化する可能性がある。これは、ＧＮＳＳ測位においてよく知られている問題である。電離層の特性が突然変化したり、信号発信装置（衛星）２２９の位置や性能等の態様が予期せず変化したりすると、測位情報に誤差が生じる可能性がある。もしこのような問題が検出された場合、衛星軌道や衛星クロックは地上局によって修正することができる。したがって、人工パラメータは支援情報の有効時間に関して予想外に変化する可能性がある。位置支援情報が変化した場合、ネットワークは直ちにＵＥにその変化を通知する必要がある。そして、ＵＥは例えば、自身の現在の位置の算出ミスのような悪影響を避けるために、新しい位置支援情報をできるだけ早く受信することによって、対応策を取ることができる。
【００５１】
Ｒ２−１７１００９４（サムスン）（先行技術文献９）には、オンデマンドシステム情報の更新方法が開示されており、オンデマンドシステム情報の即時更新が提案されている。しかし支援情報の変化はある程度予測できるので、ＵＥは測位という目的のためにシステム情報の即時更新行う必要はない。したがって、ＵＥは、システム情報がシステム情報修正期間後に更新される通常のオンデマンドシステム情報更新方法を使用すれば十分である。
【００５２】
以下では、本技術の実施例をより良く理解するために、地震津波警報信号（ＥＴＷＳ）等のシステム情報を伝達したり他の緊急通信を行うための代表的な構成について簡単に説明する。
【００５３】
＜システム情報通信＞
【００５４】
システム情報ブロック（ＳＩＢ）２３４は、無線通信ネットワーク内で動作するＵＥにシステム情報を提供するために３ＧＰＰにおいて使用されることが知られている。ＳＩＢ２３４は、無線アクセスインターフェースの既知のリソースエレメントにおいて、ｇＮＢによってネットワーク内のＵＥ１０４にブロードキャスト送信される。ＵＥが基地局によって提供されるセルを使用する前に、端末は一連のステップを実行することが求められる。ＬＴＥのような他の３ＧＰＰシステム用の従来の構成によれば、ＵＥはセルを検出するためにプライマリ同期信号（ＰＳＳ）とセカンダリ同期信号（ＳＳＳ）を使用してセルとセルＩＤを検出し、物理報知チャネル（ＰＢＣＨ）からマスタシステム情報ブロック（ＭＩＢ）を受信し、さらにＰＤＳＣＨからシステム情報ブロック（ＳＩＢ）を受信する。より具体的には、ＵＥは通常、基地局によって発信されるレガシーＰＳＳおよびＳＳＳを使用して、最初にセルとの時刻／周波数同期を達成する必要がある。そして、端末はＰＢＣＨを復号し、ＭＩＢを取得する。ＭＩＢは様々な情報を含むが、特に、端末が他のシステム情報、つまりＰＤＳＣＨを介して送信されるＳＩＢ１を取得するための情報を含む。ＳＩＢ１はＰＤＳＣＨを介して送信され、システム情報の残りの部分（その他のＳＩＢ）を取得するためのスケジューリング情報を含む。
【００５５】
例えば、ＴＳ３６．３３１に開示されているように、３ＧＰＰ仕様の一例によれば、特定の無線フレームを含む特定の修正期間中にのみシステム情報は変化し得る。システム情報は、そのスケジューリングによって定義されるように、修正期間内において同じ内容で何回も送信され得る。修正期間の境界は、システムフレーム番号の値によって定義される。修正期間はシステム情報によって構成される。ＵＥのためのシステム情報更新通知を可能にするために、修正期間より長い間欠受信サイクル（ＤＲＸ）サイクルを使用するようにアイドル状態が構成され、ｅＤＲＸ取得期間が定義される。
【００５６】
図４は、第１の期間４００において変更通知が提供され、第２の期間４０２において更新情報が提供される、システム情報修正期間の概略図を示す。
【００５７】
無線通信ネットワークがシステム情報またはその一部を変更すると、まずＵＥにこの変更について通知する。これは修正期間において行われ得る。次の修正期間において、ネットワークは更新システム情報を送信する。このような一般原則は図４に示されている。図４に示すように、第１の修正期間４００において、１以上のシステム情報ブロック４０４はシステム情報が変化しているというインジケーションを提供し、次の修正期間４０２において、１以上のシステム情報ブロック４０６は、更新システム情報を配信する。変更通知を受信すると、修正期間より長いＤＲＸサイクルを使用するように構成されていないＵＥは、次の修正期間の開始から直ちに新たなシステム情報を取得する。ｅＤＲＸに対応する変更通知を受信すると、修正期間４００、４０２より長いＤＲＸサイクルを使用するように構成されているアイドルモードのＵＥは、次のｅＤＲＸ取得期間の開始から直ちに更新システム情報を取得する。ＵＥが新たなシステム情報を取得するまで、ＵＥは以前に取得したシステム情報を用いる。詳細はＴＳ３６．３３１に記載されている。その内容は参照により本明細書に組み込まれる。
【００５８】
いくつかの例によれば、これらの残りのＳＩＢのうちの１以上のＳＩＢにおいて位置支援情報が搬送されるロケーションサービスを提供するため、測位支援情報をＵＥに提供するためにシステム情報が使用され得る。しかしながら、上記の説明から理解されるように、更新システム情報の取得には遅延が発生する恐れがあり、既知の構成では更新位置支援情報の配信に適さない可能性がある。
【００５９】
＜ＥＴＷＳ／ＣＭＡＳ（ＬＴＥ）用のシステム情報変更プロシージャ＞
【００６０】
いくつかの無線通信システムは、地震津波警報信号（ＥＴＷＳ）を受信するように構成されたとあるクラスのＵＥに、ＥＴＷＳを提供するように構成することができる。このような構成は例えばＴＳ２３．８２８  Ｖ８．０．０（２００８−０９）に開示されている。同様に、例えばＴＳ２３．０４２  ｖ９．４．０（２０１０−０６）に開示されているように、緊急アラートをＵＥに発信するＣＭＡＳ（Ｃｏｍｍｅｒｃｉａｌ  Ｍｏｂｉｌｅ  Ａｌｅｒｔ  Ｓｙｓｔｅｍ）を通してＵＥが警告を受信するように構成されていてもよい。これらのシステムによると、ＵＥが認識可能なページングメッセージを用いて警告メッセージが配信される。ＴＳ３６．３３１に開示されているように、このページングの検出後、ＵＥはシステム情報を検出することによって警告メッセージの内容の受信に進む。レスポンスタイムを減らすため、ＥＴＷＳ／ＣＭＡＳは以下に示すようにシステム情報変更通知に関して特別なプロシージャを用いる。
・ｅＮｏｄｅＢがページングのトリガを行い、ＵＥにシステム情報の変更を通知する（この時点ではシステム情報はまだ変更されてはいない）。
・ＵＥは、ページングとともに、システム情報がいつ変更されるかを示す情報「ｓｙｓｔｅｍＩｎｆｏＭｏｄｉｆｉｃａｔｉｏｎ」を受信する。
・ｅＮｏｄｅＢは、システム情報修正期間の境界までシステム情報の更新を待つ。
・ｅＮｏｄｅＢは、境界タイミングにおいて新たなｓｙｓｔｅｍｉｎｆｏ値タグ（ＳＩのバージョン）を用いてシステム情報を変更する。
・ＵＥは更新システム情報を受信する。
【００６１】
ＴＳ３６．３３１に開示されているように、ＥＴＷＳには、２つのレベルがある。この２つのレベルは、最小限の緊急の情報を示す一次通知と、特定のイベントに関する補足情報を含む、より容量が大きいメッセージを提供する二次通知を含む。一次通知は第１のページングメッセージによって示され、二次通知は第２のページングメッセージによって示される。この構成において、ページングメッセージを検出したときにＵＥによって読み取られるシステム情報ブロックとページングメッセージのタイプとの間に関連性がある。この構成は図５に示す。
【００６２】
図５に示すように、ＵＥは、ステップ５０１でＰＤＣＣＨのページングメッセージを検出する。ＰＤＣＣＨにおいては、ダウンリンク情報を受信するために特定のＵＥにページングメッセージが送信されることを含む、様々なことを示すことができる特定のＰＲＮＴＩが送信される。そしてステップ５０２において、ＵＥはページングメッセージおよびページングメッセージに含まれる情報要素を解析する。ステップ５０３において、ＵＥは、ページングメッセージがＥＴＷＳインジケーションに関連付けられた特定のＲＮＴＩを有することを検出する。
【００６３】
ＵＥがＥＴＷＳ機能を有する場合、ＵＥはステップ５０４において特定のシステム情報ブロックスケジューリング（ＳＩＢ１）の読み込みに進み、そしてステップ５０５においてＵＥは特定のシステム情報ブロック（ＳＩＢ）の読み込みに進む。ＵＥがＥＴＷＳ機能を持たない場合、現在の３ＧＰＰ仕様に従いＥＴＷＳインジケーションは無視される。
【００６４】
例えば、ＥＴＷＳ一次通知はＳＩＢタイプ１０に含まれるが、ＥＴＷＳ二次通知はＳＩＢタイプ１１に含まれる。したがって、この情報によれば、ＵＥは連続する通知期間においてシステム情報の変更に関するインジケーションと更新情報の両方を読み取る時間がないので、ページングメッセージを使用して、ＳＩＢで送信された情報をＵＥに通知し、ＵＥが次の通知期間に進み、ＳＩＢからその情報を受信できるようにする。
【００６５】
ＴＳ３６．３３１によると、ＲＲＣ接続モードのＥＴＷＳおよび／またはＣＭＡＳ対応ＵＥは、ページングサイクル毎に少なくとも１回ページングの読み取りを行い、ＥＴＷＳおよび／またはＣＭＡＳ通知が存在するか否かをチェックするように構成される。ＣＭＡＳ／ＥＴＷＳのような即時応答を提供するために、どのＳＩＢが更新されたかをチェックするためにシステム情報値タグを読み取る時間はＵＥには無い。したがって、従来のＬＴＥでは、ＵＥはページングメッセージにおけるページングのタイプを知っており、次の修正期間を待つことなく関連するＳＩＢを読み取ることをＵＥに直接知らせるこのメッセージを認識する。
【００６６】
＜測位支援情報用のページングプロシージャの例＞
【００６７】
以下に、更新位置支援情報を受信するためにＵＥによってＰａｇｉｎｇメッセージを受信する一例を示す。
ページングメッセージにｅｔｗｓ−Ｉｎｄｉｃａｔｉｏｎが含まれており、ＵＥがＵＥの測位を行うことが可能であるが、ＵＥが影響緩和機能（例えばデュアルバンドレシ−バ）をサポートしていない場合、
２＞  ＳｙｓｔｅｍＩｎｆｏｒｍａｔｉｏｎＢｌｏｃｋＴｙｐｅ１をすぐに、すなわち、次のシステム情報修正期間の境界まで待たずに再取得する。
２＞  ｓｃｈｅｄｕｌｉｎｇＩｎｆｏＬｉｓｔがＳｙｓｔｅｍＩｎｆｏｒｍａｔｉｏｎＢｌｏｃｋＴｙｐｅ  Ｘが存在するということを示す場合、
３＞  ＳｙｓｔｅｍＩｎｆｏｒｍａｔｉｏｎＢｌｏｃｋＴｙｐｅ  Ｙを取得する。
２＞ｓｃｈｅｄｕｌｉｎｇＩｎｆｏＬｉｓｔがＳｙｓｔｅｍＩｎｆｏｒｍａｔｉｏｎＢｌｏｃｋＴｙｐｅ  Ｙが存在するということを示す場合、
３＞  ＳｙｓｔｅｍＩｎｆｏｒｍａｔｉｏｎＢｌｏｃｋＴｙｐｅ１１を取得する。
【００６８】
＜ＳＩ変更通知のアダプティブレスポンスタイム＞
【００６９】
上記のように、例えば太陽嵐によって測位支援情報が破損したり無効になる場合がある。しかし、このような嵐はある程度予測可能である（例えば、太陽放射嵐予報ｈｔｔｐ：／／ｗｗｗ．ｓｗｐｃ．ｎｏａａ．ｇｏｖ／ｐｒｏｄｕｃｔｓ／３−ｄａｙ−ｆｏｒｅｃａｓｔを参照）。このような予報は、太陽がいつ活動しているか、太陽嵐が地球のどこ（例えば地球の磁気赤道付近）に影響を与える可能性があるか、ということを予測することができる。深刻な宇宙天気嵐のリスクが高い場合には、クイックレスポンスページングのコストを妥当だとみなすことができる。
【００７０】
本技術の実施形態は、とある情報が通信装置（ＵＥ）に送信されて、測位情報の変化を引き起こす予期しないイベントが発生する相対的な可能性を示す構成を提供することができる。ＵＥはこれに反応して、相対リスクレベルに応じて所定のアクションを実行することができる。一例においては、ＵＥはシステム情報の変更を受信するための通常の構成から、ＥＴＷＳ通信に対応する構成に切り替え、次の通知修正期間を待つことなくＳＩ情報を読み取ることができる。別の例において、ＵＥは新たな位置支援情報が送信されるときにＵＥが接続状態または少なくとも電源投入状態にある可能性を高めるために、長ＤＲＸ期間から短ＤＲＸ期間に切り替えることができる。したがって、位置支援情報が変化するという相対リスクに応じてＵＥが消費する電力が調整され得る。この理由として、ＤＲＸ（間欠受信サイクル）が、通常、第１のサイクル部分と、第２のサイクル部分から成ることが挙げられる。第１のサイクル部分においては、ＵＥの受信部は、ｅＮｏｄｅＢから送信された信号を検出することができる電源投入状態にある。第２のサイクル部分においては、受信部の電源は切れているか、インフラ機器から送信された信号を検出する可能性が低い状態か検出しない状態にまで受信部の電力を下げる。したがって、長ＤＲＸサイクルでは、ＵＥの受信部が電源オフ状態にある時間が長くなるため、位置支援情報の新しいバージョンを検出する代わりにより多くの電力が節約される。
【００７１】
したがって、本技術の実施形態は、以下のような構成のＵＥおよびインフラ機器を提供することができる。
１．システム情報は、測位支援情報の急変を引き起こす予期しないイベントの相対リスクを示すことができる。あるいは、専用のＲＲＣシグナリングを用いて、測位支援情報に影響を与える予期せぬイベントの相対リスクを示すことができる。
２．相対リスクが低い場合、ＵＥは従来のＳＩ変更通知を用いる。この場合、ＵＥは修正期間においてＳＩの変化に関するインジケーションを受信し、次の修正期間において更新ＳＩを受信する。
３．相対リスクが高い場合、ＵＥは特別なＳＩ変更通知を受信する。これにより、即時通知をサポートすることができる。
例えば、
ａ．通常動作から、次の変更通知期間まで待たずにＳＩ変更通知を行うＥＴＷＳのような動作に切り替える。
ｂ．通常のＤＲＸよりもＤＲＸ期間を短くする（減らす）。
４．相対リスクが非常に高い（差し迫っている）場合、ＵＥはバックアップとして、１以上の代替測位技術を有効にし得る。例えば、
ａ．例えば観測到達時間差（ＯＴＤＯＡ）等のネットワーク型測位
ｂ．例えば慣性計測装置（ＩＭＵ）等のセンサ型測位
４ａ、４ｂの結果がＧＮＳＳと一致しない場合、ＵＥは自身の場所のＧＮＳＳ推定結果を使用せず、可能であれば他の測位技術を使用して補正を行う。
ｃ．例えば自動運転等、測位精度の低下が人やモノに損害を与える可能性のある重要な用途にＵＥが使用されている場合、ＵＥは、事故や損傷を避けるために、位置推定機能のうちのいくつかを一時停止してもよいし、または動作を一時停止してもよい。
【００７２】
任意の実施形態に係る、図３に示すＵＥの動作の例が図６に示されている。図６において、制御回路２０３は、位置検出受信部２００、無線通信送信部２０２、受信部２０１を制御して、位置支援情報の変化に関する相対リスクのインジケーションに応答する。図６の概要を以下に記載する。
【００７３】
Ｓ２：開始状態Ｓ１で開始後、ＵＥは位置支援情報の変更をもたらす可能性のある予期しないイベントのリスクの相対表現を与えるインジケーション受信する。一例では、この相対インジケーションはｅＮｏｄｅＢからシステム情報を介して送信される。別の例においては、相対リスクは、ＲＲＣ通信としてｅＮｏｄｅＢからＵＥに送信される。
【００７４】
第１の判定ポイントＳ４において、ＵＥは相対リスクのインジケーションがリスクが高いことを示しているかどうかを特定する。示していない（ＮＯ）場合、処理はステップＳ２に戻る。リスクの相対インジケーションが高い場合、処理はステップＳ６に進む。
【００７５】
ステップ６において、ＵＥは、図４を参照して上述したように、修正期間中に定期的にシステム情報を受信する通常の動作モードから、システム情報を介して伝達される位置支援情報が変化したことを示すためのページングリクエストをモニタリングする状態に切り替える。したがってＵＥは、位置支援情報が変化したことを示すインジケーションをページングメッセージとして受信した後、現在の通知期間中におけるシステム情報の受信にダイレクトに進む必要がある。
【００７６】
判定ポイントＳ８において、ＵＥは、相対リスクがシステム情報の変更が差し迫っていることを示すかどうかを特定する。示していない（ＮＯ）場合、処理はステップＳ２に戻る。しかし、位置支援情報の変化に関する相対リスクのインジケーションが急変を示す場合には、処理はステップＳ１０に進む。
【００７７】
Ｓ１０：位置支援情報の急変を示すインジケーションが存在する場合、ＵＥは例えば、自身の位置を識別するために、異なるネットワークや測位方法、異なるセンサを使用するように、自身の動作を調整し得る。
【００７８】
Ｓ１２：ＵＥのアプリケーションに従い、ＵＥが自身の位置のロケーションが自身の動作にとって重要であると特定した場合、すなわち、アプリケーションが相対的な重要度に応じてミッションクリティカルである場合、判定ポイントＳ１２において位置支援情報の変化がミッションクリティカルである場合、ＵＥはステップＳ１４に進む。そうでない場合、ステップＳ２に戻る。
【００７９】
Ｓ１４：位置支援情報が急変するか少なくとも現在の位置支援情報に誤りがあり、ＵＥがミッションクリティカルなサービスまたはアプリケーションを実行している場合、ＵＥは、自動運転やナビゲーションの中断等、自身の位置のロケーションに関連して実行している機能のいくつかを無効にし得る。
【００８０】
本技術の実施形態は次のような利点を提供することができる。位置支援情報の変化のリスクが比較的低い場合に、より長い間欠受信（ＤＲＸ）サイクルを採用するようにＵＥを構成することができ、これにより電力消費を低減することができる。ＵＥは、位置支援情報の変化の相対リスクがより大きい場合、消費電力を増加させ、より短いＤＲＸサイクルを採用することができる。これにより、ＵＥは更新位置支援情報を受信するためにより迅速に反応することができる。この結果、ＵＥは自身の位置をより確実に推定することができる。
【００８１】
＜デュアルバンド（またはトリプルバンド）ＧＮＳＳレシーバの特別処理＞
【００８２】
上述のように、ＵＥは、２以上の周波数帯域からの信号発信装置（衛星）からの信号をモニタリングするように構成された複数の検出器を含む位置検出受信部２００を備えることができる。この例では、ＵＥは位置支援情報の変化に関するいかなる緊急インジケーションにも応答する必要はない。例えば、デュアルバンドＧＮＳＳレシーバ（例えばＬ１とＬ５）は電離層における変化に強い。例えば、深刻な宇宙天気嵐の間、数十メートル以上のオーダーの測位誤差が発生する可能性がある。しかし、デュアル周波数ＧＰＳシステムは数センチメートルまで正確な位置情報を提供することができる（ｈｔｔｐ：／／ｗｗｗ．ｓｗｐｃ．ｎｏａａ．ｇｏｖ／ｉｍｐａｃｔｓ／ｓｐａｃｅ−ｗｅａｔｈｅｒ−ａｎｄ−ｇｐｓ−ｓｙｓｔｅｍｓ参照）。このため、ＵＥの位置検出受信部２００がデュアルバンド測位能力を有する場合、ＵＥは電離層の変化に関連する測位支援情報の更新に関する緊急ページングを無視することができる。
【００８３】
＜ページングを用いた位置支援情報の変化に関するインジケーション＞
【００８４】
いくつかの実施形態によれば、無線通信ネットワークは関連する測位情報がいつ変更されるかを、例えばタイムスタンプのフォーマットや無線フレームの数によってページングメッセージで示すように構成することができる。このインジケーションを用いて、ネットワークはＵＥにダウンリンク通信について警告するためのページングメッセージや位置支援情報の変化を示すために使用されるＳＩの変化を示すページングメッセージ内で、位置支援情報の変化時刻を伝達することができる。ページングメッセージ内のこのタイミング情報を受信した後、いつ関連する変化測位情報をＳＩＢから読み出す必要があるかをＵＥは認識している。
【００８５】
いくつかの実施形態によれば、ページングメッセージは、位置支援情報が無効であることをシンプルに示すことができる。
【００８６】
位置支援情報が無効であることを示すインジケーションに加えて、いくつかの実施形態では、ページングメッセージは更新位置支援情報を提供する１以上のシステム情報ブロック（ＳＩＢ）を示すことができる次のレベルの新しい情報要素を含むこともできる。
【００８７】
図７は、位置支援情報の変化を伝達するためにページングメッセージを調整する実施形態を示す。ＵＥによって行われる、図７に示す処理ステップは、図５に示す処理ステップに相当する。この処理ステップは、位置支援情報が無効であるというインジケーションをページングメッセージが含む実施形態を実施できるように調整されている。図７に示すように、ステップ５０１、５０２は図５に示すステップに相当する。しかし、ステップ７０３において、ＵＥはｅＮｏｄｅＢから受信したページングメッセージが、位置支援情報が無効または更新されていること示すインジケーションを提供することを検出する。そしてＵＥは、ロケーションサービスを一時停止したり、自身の位置のロケーションに関してミッションクリティカルであり得る特定のタスクまたはアプリケーションの実行を一時停止するといった適切なアクションを取ることができる。
【００８８】
ステップ７０４においてＵＥは、位置支援情報を更新するために用いることができる次の通知期間に提供されたシステム情報ブロックから、更新位置支援情報を読み出すことに進むことができる。そしてステップ７０５において、ＵＥはページングメッセージによって示される位置支援情報を更新するために提供されたものに従って、システム情報ブロックタイプを受信する。
【００８９】
あるいは、関連する更新ＳＩＢが既知である場合、ＵＥはステップ７０４をスキップしてもよい。そしてステップ７０５において、ＵＥはページングメッセージによって示されるように位置支援情報を更新するために提供されたものに従って、システム情報ブロックタイプを受信する。
【００９０】
ステップ７０６において、ＵＥはシステム情報の更新と平行して緊急アクション（建設機械の運転停止等）を進めることができる。
【００９１】
一実施形態によると、新たな位置支援情報搬送する特定のシステム情報ブロックを読み取る必要があるということをＵＥに示すために、ページングメッセージ内の情報要素が提供される。以下の表に、この情報要素の例を「ＭＴＣのＤｉｒｅｃｔ  Ｉｎｄｉｃａｔｉｏｎ  Ｉｎｆｏｒｍａｔｉｏｎ」の６の番号を付したエントリとして示す。
【表１】
2021505077.tif 000003
【００９２】
いくつかの実施形態によれば、重要度／緊急度に応じて、位置支援情報に関して２つのレベルの通知を提供することができる。一次通知は、即時アクションを必要とするイベントがあったことを示すが、その詳細は示さない。二次通知は、問題の詳細とその理由に関する追加の情報を提供する。
【００９３】
上記の教示に照らして本開示の多数の修正および変形が可能である。したがって、添付の特許請求の範囲内において、本開示が、本明細書に具体的に記載したものと異なる方法で実践され得ることが理解されるべきである。
【００９４】
新たに定義したＰｏｓｉｓｉｔｉｏｉｎｇＡｓｓｉｓｔａｎｃｅＩｎｆｏＭｏｄｉｆｉｃａｔｉｏｎの代わりに、ｓｙｓｔｅｍＩｎｆｏＭｏｄｉｆｉｃａｔｉｏｎやｓｙｓｔｅｍＩｎｆｏＭｏｄｉｆｉｃａｔｉｏｎ−ｅＤＲＸ等の従来のインジケータを使用して位置支援情報の更新バージョンを伝達する。システム情報によって示されるリスクの程度に応じて、ＰｏｓｉｓｉｔｉｏｉｎｇＡｓｓｉｓｔａｎｃｅＩｎｆｏＭｏｄｉｆｉｃａｔｉｏｎと同じ解釈／挙動を適用することができる。
【００９５】
システム情報によって示されるリスクの程度を新たに定義する代わりに、２以上のＰｏｓｉｓｉｔｉｏｉｎｇＡｓｓｉｓｔａｎｃｅＩｎｆｏＭｏｄｉｆｉｃａｔｉｏｎインジケータが定義される。
【００９６】
上記の様々な実施形態において、本技術の実施形態は、無線通信ネットワーク用の端末装置であって、インフラ機器から提供される無線アクセスインターフェースであって、複数の修正期間に分割されている無線アクセスインターフェースを介して上記インフラ機器から信号を受信するように構成される無線通信受信回路と、測定によって上記端末装置の位置の特定の支援に用いることができる電波信号を受信するように構成される位置検出受信回路と、制御回路を含む端末装置を提供することができる。この制御回路は、上記無線通信受信回路を制御し、上記複数の修正期間のうちの１つにおいて、１以上のシステム情報ブロックが次の修正期間において受信されるというインジケーションを受信することにより上記インフラ機器から送信された位置支援情報を搬送する１以上のシステム情報ブロックを検出し、上記次の修正期間において、端末装置の位置の特定を支援するために用いることができる情報を提供する上記位置支援情報を搬送する１以上のシステム情報ブロックを受信し、上記位置支援情報が変化したことを示すページングメッセージを検出し、上記ページングメッセージに応じて上記複数の修正期間のうちの１つにおいて上記位置支援情報の更新バージョンを搬送する１以上のシステム情報ブロックを検出するように構成される。
【００９７】
とある例においては、上記ページングメッセージは、上記位置支援情報の更新バージョンを搬送する１以上のシステム情報ブロックが上記インフラ機器によって送信される上記修正期間のインジケーションを含む。他の例においては、上記ページングメッセージは、上記位置支援情報の更新バージョンを搬送する１以上のシステム情報ブロックのインジケーションを提供する。他の例においては、上記ページングメッセージは、上記位置支援情報が無効であるというインジケーションを提供し、これに応じて上記制御回路は上記位置支援情報の更新バージョンを搬送する１以上のシステム情報ブロックを検出するように構成される。
【００９８】
他の実施形態において、無線通信ネットワーク用の端末装置は、インフラ機器から提供される無線アクセスインターフェースであって、複数の修正期間に分割されている無線アクセスインターフェースを介して上記インフラ機器から信号を受信するように構成される無線通信受信回路と、測定によって上記端末装置の位置の特定の支援に用いることができる電波信号を受信するように構成される位置検出受信回路と、制御回路を含む。この制御回路は、上記無線通信受信回路を制御し、端末装置の位置の特定を支援するために用いることができる情報を提供する位置支援情報であって、ブロードキャストチャネルにおいて上記インフラ機器から送信された位置支援情報を受信し、上記位置支援情報と連携して、上記位置支援情報と受信した上記電波信号の組み合わせから上記端末装置の位置の推定結果を生成するように構成される制御回路を含む。さらに、上記制御回路は、上記位置支援情報が変化したことを示すページングメッセージを検出し、上記端末装置の位置の推定結果に応じたタスクを上記端末装置が実行しているかどうかを特定し、上記位置支援情報が変化したことを示すページングメッセージの検出に応じて、上記タスクの実行を中断するように構成される。
【００９９】
他の実施形態においては、無線通信ネットワークと動作上関連して構成されるロケーションサーバが提供される、このロケーションサーバは、事前に決められた場所に配置される１以上の信号発信装置から、各信号発信装置の場所のインジケーションを提供する信号を受信するように構成される位置情報受信部と、制御回路を含む。この制御回路は、各信号発信装置の場所のインジケーションを提供する位置支援情報を生成し、１以上の端末装置と通信するための無線通信ネットワークのインフラ機器に、インターフェースを通して上記位置支援情報のインジケーションを伝達し、上記位置支援情報が変化するという相対リスクを特定し、上記位置支援情報が変化するという相対リスクのインジケーションを上記無線通信ネットワークのインフラ機器に上記インターフェースを通して送信するように構成される。
【０１００】
本発明の実施形態は、ソフトウェア制御型データ処理装置によって、少なくとも部分的に実施されるものとして記載する限りにおいて、当然、そのようなソフトウェアを有する光ディスク、磁気ディスク、半導体メモリ等の非一過性の機械読み取り可能媒体も本開示の一実施形態を表すと考えられる。
【０１０１】
上述の記載においては、説明を明確にするために、異なる実施形態に関して異なる機能的ユニット、回路、および／またはプロセッサを参照しつつ説明したことに留意されたい。しかし、異なる機能的ユニット、回路、および／またはプロセッサの間では、実施形態に悪影響を与えずに任意の適切な役割分担を採用できることは明らかである。
【０１０２】
上記の実施形態は、任意の適切な態様で実施されることができ、これにはハードウェア、ソフトウェア、ファームウェアまたはこれらの任意の組合せが含まれる。上記の実施形態は、オプションとして、１以上のデータプロセッサおよび／またはデジタル信号プロセッサ上で実行されるコンピュータソフトウェアとして少なくとも部分的に実装してもよい。任意の実施形態のエレメントや構成要素は、任意の適切な態様にて、物理的、機能的、または論理的に実装され得る。実際には、機能性を実装するに際しては、単一のユニット、複数のユニット、または他の機能的ユニットの一部として実装することができる。したがって、開示した実施形態は、単一のユニット内で実装されてもよいし、または、異なるユニット、回路、および／またはプロセッサ間で物理的にまたは機能的に分散されてもよい。
【０１０３】
本開示はいくつかの実施形態に関して説明したが、具体的に列挙されたこれらの形態に限定されることは意図していない。また、ある特徴が特定の実施形態と関連して説明されているように見えても、当業者であれば開示された実施形態の様々な特徴は本技術を実施するのに適切な任意の態様で組み合わせ得ることに気付くであろう。
【０１０４】
本技術の種々の他の態様および特徴は、添付の特許請求の範囲において定義される。本技術の各種の実施形態は、以下の項目によって定義される。
【０１０５】
段落１．
無線通信ネットワーク用の端末装置であって、上記端末装置は、
インフラ機器から提供される無線アクセスインターフェースを介して上記インフラ機器から信号を受信するように構成される無線通信受信回路と、
測定によって上記端末装置の位置の特定の支援に用いることができる電波信号を受信するように構成される位置検出受信回路と、
上記無線通信受信回路を制御して、上記インフラ機器から送信された位置支援情報であって、上記端末装置の位置の特定の支援に用いることができる情報を提供する上記位置支援情報を搬送する１以上のシステム情報ブロックを検出し、
上記位置検出回路を制御して、識別された上記位置支援情報と上記位置検出受信回路によって受信された電波信号とを組み合わせて上記端末装置の位置を推定するように構成される制御回路を含み、
上記制御回路は上記無線通信受信回路と共に、
上記位置支援情報が変化するという相対リスクのインジケーションを上記インフラ機器から受信し、
上記位置支援情報が変化するという相対リスクのインジケーションに応じて、上記１以上のシステム情報ブロックの受信を調整し、上記相対リスクに従い上記位置支援情報の更新バージョンを受信するように構成される、
端末装置。
段落２．
段落１に記載の端末装置であって、
上記インフラ機器から受信した相対リスクのインジケーションは、上記位置支援情報の急変のインジケーションを表し、
上記制御回路は上記受信回路と共に、上記位置支援情報の急変のインジケーションを提供する上記インフラ機器からページングメッセージを受信するように構成される、
端末装置。
段落３．
段落２に記載の端末装置であって、
上記位置支援情報の更新バージョンは、上記位置支援情報の即時更新を伝える上記ページングメッセージによって提供される、
端末装置。
段落４．
段落１に記載の端末装置であって、
上記制御回路は上記無線通信受信回路と協働して、間欠受信サイクルに従い上記位置支援情報を搬送する１以上のシステム情報ブロックを検出するように構成され、
上記間欠受信サイクルは上記１以上のシステム情報ブロックを検出する第１のサイクル部分と、上記１以上のシステム情報ブロックが検出されない第２のサイクル部分を含み、
上記制御回路は、上記相対リスクに従い上記第１および第２のサイクル部分の長さの一方または両方を調整するように構成される、
端末装置。
段落５．
段落１に記載の端末装置であって、
上記無線アクセスインターフェースは複数の修正期間に分割され、
上記制御回路は、
上記無線通信受信回路と協働して、示された第１の相対リスクに従い上記複数の修正期間のうちの１つにおいて、１以上のシステム情報ブロックが次の修正期間において受信されるというインジケーションを受信することにより上記更新位置支援情報を搬送する１以上のシステム情報ブロックを検出し、
上記次の修正期間において上記位置支援情報の更新バージョンを搬送する１以上のシステム情報ブロックを受信し、
上記位置支援情報の変化の可能性がより高いことを示す、示された第２の相対リスクに従い上記位置支援情報の更新バージョンを搬送する１以上のシステム情報ブロックの受信を調整し、
上記位置支援情報が変化したことを示すページングメッセージを検出し、
上記ページングメッセージに応じて上記複数の修正期間のうちの１つにおいて上記位置支援情報の更新バージョンを搬送する１以上のシステム情報ブロックを検出するように構成される、
端末装置。
段落６．
段落５に記載の端末装置であって、
上記ページングメッセージは、上記位置支援情報の更新バージョンを搬送する１以上のシステム情報ブロックが上記インフラ機器によって送信される修正期間のインジケーションを含む、
端末装置。
段落７．
段落５または６に記載の端末装置であって、
上記ページングメッセージは、上記位置支援情報の更新バージョンを搬送する１以上のシステム情報ブロックのインジケーションを提供する、
端末装置。
段落８．
段落２から７のいずれかに記載の端末装置であって、
上記ページングメッセージは、上記位置支援情報が無効であるというインジケーションを提供し、これに応じて上記制御回路は上記位置支援情報の更新バージョンを搬送する１以上のシステム情報ブロックを検出するように構成される、
端末装置。
段落９．
段落１から８のいずれかに記載の端末装置であって、
上記位置検出受回路は複数の検出器を含むように構成され、
この検出器のうちの１つは上記電波信号を検出するように構成され、
１以上の他の検出器は上記端末装置の場所の推定結果を生成するために用いることができる１以上の他の電波信号を検出し、
上記位置支援情報が変化するという相対リスクのインジケーションに応じて、上記１以上の他の検出器を用いて上記端末装置の場所の推定結果を生成するように上記位置検出受信部を調整する、
端末装置。
段落１０．
段落１から９のいずれかに記載の端末装置であって、
上記制御回路は上記端末装置の場所の推定結果に応じたタスクを上記端末装置が実行しているかどうかを特定し、上記位置支援情報が変化するという相対リスクのインジケーションに応じて、上記タスクの実行を中断するように構成される、
端末装置。
段落１１．
段落２、３、または４に記載の端末装置であって、
上記制御回路は、上記端末装置の場所の推定結果に応じたタスクを上記端末装置が実行しているかどうかを特定し、上記位置支援情報の急変を示すページングメッセージの受信に応じて上記タスクの実行を中断するように構成される、
端末装置。
段落１２．
無線通信ネットワーク用の端末装置であって、上記端末装置は
インフラ機器から提供される無線アクセスインターフェースであって、複数の修正期間に分割されている無線アクセスインターフェースを介して上記インフラ機器から信号を受信するように構成される無線通信受信回路と、
測定によって上記端末装置の位置の特定の支援に用いることができる電波信号を受信するように構成される位置検出受信回路と、
上記無線通信受信回路を制御し、
上記複数の修正期間のうちの１つにおいて、１以上のシステム情報ブロックが次の修正期間において受信されるというインジケーションを受信することにより上記インフラ機器から送信された位置支援情報を搬送する１以上のシステム情報ブロックを検出し、
上記次の修正期間において、端末装置の位置の特定を支援するために用いることができる情報を提供する上記位置支援情報を搬送する１以上のシステム情報ブロックを受信し、
上記位置支援情報が変化したことを示すページングメッセージを検出し、
上記ページングメッセージに応じて上記複数の修正期間のうちの１つにおいて上記位置支援情報の更新バージョンを搬送する１以上のシステム情報ブロックを検出するように構成される制御回路を含む、
端末装置。
段落１３．
段落１２に記載の端末装置であって、
上記ページングメッセージは、上記位置支援情報の更新バージョンを搬送する１以上のシステム情報ブロックが上記インフラ機器によって送信される上記修正期間のインジケーションを含む、
端末装置。
段落１４．
段落１２または１３に記載の端末装置であって、
上記ページングメッセージは、上記位置支援情報の更新バージョンを搬送する１以上のシステム情報ブロックのインジケーションを提供する、
端末装置。
段落１５．
段落１４に記載の端末装置であって、
上記ページングメッセージは、上記位置支援情報が無効であるというインジケーションを提供し、これに応じて上記制御回路は上記位置支援情報の更新バージョンを搬送する１以上のシステム情報ブロックを検出するように構成される、
端末装置。
段落１６．
無線通信ネットワーク用の端末装置であって、上記端末装置は
インフラ機器から提供される無線アクセスインターフェースであって、複数の修正期間に分割されている無線アクセスインターフェースを介して上記インフラ機器から信号を受信するように構成される無線通信受信回路と、
測定によって上記端末装置の位置の特定の支援に用いることができる電波信号を受信するように構成される位置検出受信回路と、
上記無線通信受信回路を制御し、
端末装置の位置の特定を支援するために用いることができる情報を提供する位置支援情報であって、ブロードキャストチャネルにおいて上記インフラ機器から送信された位置支援情報を受信し、
上記位置支援情報と連携して、上記位置支援情報と受信した上記電波信号の組み合わせから上記端末装置の位置の推定結果を生成するように構成される制御回路を含み、
上記制御回路は、
上記位置支援情報が変化したことを示すページングメッセージを検出し、
上記端末装置の位置の推定結果に応じたタスクを上記端末装置が実行しているかどうかを特定し、
上記位置支援情報が変化したことを示すページングメッセージの検出に応じて、上記タスクの実行を中断するように構成される、
端末装置。
段落１７．
無線通信ネットワークの一部を構成するインフラ機器であって、上記インフラ機器は、
上記無線通信ネットワークを介して通信する端末装置に信号を送信するように構成される送受信回路であって、上記インフラ機器によって提供される無線アクセスインターフェースを介して上記信号を送信する送受信回路と、
上記無線通信ネットワークと動作可能に関連付けられるロケーションサーバとのインターフェースを含み、
上記インターフェースは、
１以上の端末装置の位置を特定するためにこの端末装置によって用いられる位置支援情報を上記ロケーションサーバから受信し、
上記位置支援情報を搬送する１以上のシステム情報ブロックを上記端末装置に送信し、
上記位置支援情報が変化するという相対リスクのインジケーションを上記ロケーションサーバから受信し、
上記位置支援情報が変化するという相対リスクのインジケーションを上記端末装置に送信し、
上記位置支援情報が変化するという相対リスクのインジケーションに応じて、上記相対リスクに従い上記端末装置が間欠受信サイクルを変更する必要があるというインジケーションを上記１以上の端末装置に送信し、
上記位置支援情報が変化するという相対リスクが高いほど上記サイクルを短くするように構成される、
インフラ機器。
段落１８．
段落１７に記載のインフラ機器であって、
上記１以上の端末装置の間欠受信サイクルは上記１以上のシステム情報ブロックを検出する第１のサイクル部分と、信号を受信する電力を抑える第２のサイクル部分を含み、
上記制御回路は上記送信回路上記インジケーションと協働して上記位置情報が変化するという相対リスクが高いほど上記第２のサイクル部分が短くなるように上記相対リスクに従い上記第２のサイクル部分の長さを調整するように構成される、
インフラ機器。
段落１９．
段落１７または１８のいずれかに記載のインフラ機器であって、
上記制御回路は上記送信回路と共に、上記１以上のシステム情報ブロックにおいて上記１以上の端末装置に上記位置支援情報の変化の相対リスクのインジケーションを送信するように構成される、
インフラ機器。
段落２０．
段落１９に記載のインフラ機器であって、
上記制御回路は上記送信回路と共に、上記ロケーションサーバから受信した更新位置支援情報を１以上のシステム情報ブロックにおいて上記１以上の端末装置に送信するように構成される、
インフラ機器。
段落２１．
段落１７から１９のいずれかに記載のインフラ機器であって、
上記制御回路は上記送信回路と共に、上記更新位置支援情報を搬送する１以上のシステム情報ブロックを識別する上記１以上の端末装置にページングメッセージを送信するように構成される、
インフラ機器。
段落２２．
事前に決められた場所に配置される１以上の信号発信装置から、各信号発信装置の場所のインジケーションを提供する信号を受信するように構成される位置情報受信部と、
各信号発信装置の場所のインジケーションを提供する位置支援情報を生成し、
１以上の端末装置と通信するための無線通信ネットワークのインフラ機器に、インターフェースを通して上記位置支援情報のインジケーションを伝達し、
上記位置支援情報が変化するという相対リスクを特定し、
上記位置支援情報が変化するという相対リスクのインジケーションを上記無線通信ネットワークのインフラ機器に上記インターフェースを通して送信するように構成される制御回路を含む、
ロケーションサーバ。
段落２３．
段落２２に記載のロケーションサーバであって、
上記制御回路は上記位置情報受信部と協働して、
上記位置支援情報が無効であるということを検出し、
上記位置支援情報が無効であるということを上記端末装置に伝達するために、上記無線通信ネットワークのインフラ機器に上記インターフェースを通してアラートを送信するように構成される、
ロケーションサーバ。
段落２４．
段落２２に記載のロケーションサーバであって、
上記制御回路は上記位置情報受信部と協働して、
上記位置支援情報が変化したことを検出し、
上記位置支援情報が変化したということを上記端末装置に伝達するために上記位置支援情報が変化したというインジケーションを、上記無線通信ネットワークのインフラ機器に上記インターフェースを通して送信するように構成される、
ロケーションサーバ。
段落２５．
段落２４に記載のロケーションサーバであって、
上記制御回路は上記位置情報受信部と協働して、
上記位置支援情報の変化の検出に応じて上記位置支援情報の更新バージョンを生成し、
上記インターフェースを通して上記無線通信ネットワークのインフラ機器に上記位置支援情報の更新バージョンを送信するように構成される、
ロケーションサーバ。
【０１０６】
（先行技術文献１）３ＧＰＰ  ＴＳ３６  ｓｅｒｉｅｓ（ＬＴＥ）ｈｔｔｐ：／／ｗｗｗ．３ｇｐｐ．ｏｒｇ／ＤｙｎａＲｅｐｏｒｔ／３６−ｓｅｒｉｅｓ．ｈｔｍ
（先行技術文献２）  ３ＧＰＰ  ＴＳ３８  ｓｅｒｉｅｓ（ＮＲ）ｈｔｔｐ：／／ｗｗｗ．３ｇｐｐ．ｏｒｇ／ＤｙｎａＲｅｐｏｒｔ／３８−ｓｅｒｉｅｓ．ｈｔｍ
（先行技術文献３）３ＧＰＰ  ＴＳ３６．３０５："Ｓｔａｇｅ２  ｆｕｎｃｔｉｏｎａｌ  ｓｐｅｃｉｆｉｃａｔｉｏｎ  ｏｆ  Ｕｓｅｒ  Ｅｑｕｉｐｍｅｎｔ  （ＵＥ）  ｐｏｓｉｔｉｏｎｉｎｇ  ｉｎ  Ｅ−ＵＴＲＡＮ"
（先行技術文献４）３ＧＰＰ  ＴＳ３６．３５５："Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；ＬＴＥ  Ｐｏｓｉｔｉｏｎｉｎｇ  Ｐｒｏｔｏｃｏｌ（ＬＰＰ）"
（先行技術文献５）３ＧＰＰ  ＴＳ２３．２７１："Ｆｕｎｃｔｉｏｎａｌ  ｓｔａｇｅ  ２  ｄｅｓｃｒｉｐｔｉｏｎ  ｏｆ  Ｌｏｃａｔｉｏｎ  Ｓｅｒｖｉｃｅｓ（ＬＣＳ）"．
（先行技術文献６）ＯＭＡ  Ｓｅｃｕｒｅ  Ｕｓｅｒ  Ｐｌａｎｅ  Ｌｏｃａｔｉｏｎ  （ＳＵＰＬ）
（先行技術文献７）ＥＰ１７１９９２０４
（先行技術文献８）ＴＳ３６．３３１
（先行技術文献９）Ｒ２−１７１００９４（Ｓａｍｓｕｎｇ）
（先行技術文献１０）ＴＳ２３．８２８  Ｖ８．０．０（２００８−０９）
（先行技術文献１１）ＴＳ２３．０４２  ｖ９．４．０（２０１０−０６）
【図１】
2021505077.tif 000004
【図２】
2021505077.tif 000005
【図３】
2021505077.tif 000006
【図４】
2021505077.tif 000007
【図５】
2021505077.tif 000008
【図６】
2021505077.tif 000009
【図７】
2021505077.tif 000010
【国際調査報告】
2021505077.tif 000011
2021505077.tif 000012
2021505077.tif 000013
2021505077.tif 000014
2021505077.tif 000015
2021505077.tif 000016